(57)【特許請求の範囲】
【請求項１】
複数の基地局のうちの基地局において、前記複数の基地局のためのリソース割振りパターンを識別すること、ここにおいて、前記リソース割振りパターンは、共有スペクトル中のキャリアの通信時間リソースを、異なるデータサービスセットに関連する複数のリソースセットにグループ化する、と、
前記異なるデータサービスセットのうちの第１のデータサービスセットに関連する第１のリソースセットを識別することと、
少なくとも１つのユーザ機器と、前記第１のリソースセット上で前記第１のデータサービスセットに関連する第１のデータトラフィックを通信することと
を備える、ワイヤレス通信の方法。
【請求項２】
前記通信することは、
前記第１のデータサービスセットに少なくとも部分的に基づいて、リッスンビフォアトーク（ＬＢＴ）パラメータを決定することと、
前記リッスンビフォアトーク（ＬＢＴ）パラメータに少なくとも部分的に基づいて、前記キャリア上でクリアチャネルアセスメント（ＣＣＡ）を実行することと、
成功したＣＣＡが実行されたと決定することに少なくとも部分的に基づいて、前記第１のリソースセット上で前記第１のデータトラフィックを送信することと
を備える、請求項１に記載の方法。
【請求項３】
前記少なくとも１つのユーザ機器に、前記リソース割振りパターンを送信することをさらに備える、
請求項１に記載の方法。
【請求項４】
前記通信時間リソースは、前記複数の基地局について同期される、
請求項１に記載の方法。
【請求項５】
前記異なるデータサービスセットの各々は、
１つまたは複数のサービス品質（ＱｏＳ）識別子、１つまたは複数のサービスタイプ識別子、またはそれらの組合せ
のいずれかに関連する、請求項１に記載の方法。
【請求項６】
前記複数の基地局のための第２のリソース割振りパターンを識別することをさらに備え、前記第２のリソース割振りパターンは、前記共有スペクトル中の第２のキャリアの第２の通信時間リソースを、前記異なるデータサービスセットのうちの１つまたは複数に関連する第２の複数のリソースセットにグループ化し、前記第２の複数のリソースセットは、前記複数のリソースセットとは異なって割り振られる、
請求項１に記載の方法。
【請求項７】
複数の基地局のうちの基地局において、前記複数の基地局のためのリソース割振りパターンを識別するための手段、ここにおいて、前記リソース割振りパターンは、共有スペクトル中のキャリアの通信時間リソースを、異なるデータサービスセットに関連する複数のリソースセットにグループ化する、と、
前記異なるデータサービスセットのうちの第１のデータサービスセットに関連する第１のリソースセットを識別するための手段と、
少なくとも１つのユーザ機器と、前記第１のリソースセット上で前記第１のデータサービスセットに関連する第１のデータトラフィックを通信するための手段と
を備える、ワイヤレス通信のための装置。
【請求項８】
前記通信するための手段は、
前記第１のデータサービスセットに少なくとも部分的に基づいて、リッスンビフォアトーク（ＬＢＴ）パラメータを決定するための手段と、
前記リッスンビフォアトーク（ＬＢＴ）パラメータに少なくとも部分的に基づいて、前記キャリア上でクリアチャネルアセスメント（ＣＣＡ）を実行するための手段と、
成功したＣＣＡが実行されたと決定することに少なくとも部分的に基づいて、前記第１のリソースセット上で前記第１のデータトラフィックを送信するための手段と
を備える、請求項７に記載の装置。
【請求項９】
前記通信時間リソースは、前記複数の基地局について同期される、
請求項７に記載の装置。
【請求項１０】
共有スペクトル中のキャリアのためのリソース割振りパターンを識別するための手段、ここにおいて、前記リソース割振りパターンは、前記キャリアの通信時間リソースを、異なるデータサービスに関連する複数のリソースセットにグループ化する、と、
前記異なるデータサービスのうちの第１のデータサービスに関連する第１のリソースセットを識別するための手段と、
前記キャリアに関連する基地局と、前記第１のリソースセット上で前記第１のデータサービスに関連する第１のデータトラフィックを通信するための手段と
を備える、ワイヤレス通信のための装置。
【請求項１１】
前記第１のデータサービスに少なくとも部分的に基づいて、リッスンビフォアトーク（ＬＢＴ）パラメータを決定するための手段と、
前記リッスンビフォアトーク（ＬＢＴ）パラメータに少なくとも部分的に基づいて、前記キャリア上でクリアチャネルアセスメント（ＣＣＡ）を実行するための手段と、
成功したＣＣＡが実行されたと決定することに少なくとも部分的に基づいて、前記第１のリソースセット上で前記第１のデータトラフィックを送信するための手段と
をさらに備える、請求項１０に記載の装置。
【請求項１２】
共有スペクトル中のキャリアのためのリソース割振りパターンを識別すること、ここにおいて、前記リソース割振りパターンは、前記キャリアの通信時間リソースを、異なるデータサービスに関連する複数のリソースセットにグループ化する、と、
前記異なるデータサービスのうちの第１のデータサービスに関連する第１のリソースセットを識別することと、
前記キャリアに関連する基地局と、前記第１のリソースセット上で前記第１のデータサービスに関連する第１のデータトラフィックを通信することと
を備える、ワイヤレス通信の方法。
【請求項１３】
前記複数のリソースセットのうちの１つまたは複数のリソースセット中にスリープ状態に入ることをさらに備える、
請求項１２に記載の方法。
【請求項１４】
前記複数のリソースセットのうちのそれぞれのリソースセットのための１つまたは複数のチャネル品質インジケータ（ＣＱＩ）測定値を報告することをさらに備え、前記報告されたチャネル品質インジケータ（ＣＱＩ）測定値は、前記それぞれのリソースセットに関連するチャネル状態情報（ＣＳＩ）リソースに少なくとも部分的に基づく、
請求項１２に記載の方法。
【請求項１５】
命令を備えるコンピュータプログラムであって、前記命令は、前記プログラムが基地局のコンピュータによって実行されると、前記コンピュータに、請求項１−６のいずれか１項に記載の方法を行わせる、コンピュータプログラム。
【請求項１６】
命令を備えるコンピュータプログラムであって、前記命令は、前記プログラムがユーザ機器のコンピュータによって実行されると、前記コンピュータに、請求項１２−１４のいずれか１項に記載の方法を行わせる、コンピュータプログラム。
【発明の詳細な説明】
【相互参照】
【０００１】
[0001]本特許出願は、各々が本出願の譲受人に譲渡された、２０１６年６月３０日に出願された、「Quality Of Service Related Enhancements for LTE Over Shared Spectrum」と題する、Ｙｅｒｒａｍａｌｌｉらによる米国特許出願第１５／１９８，４８１号、および２０１５年７月３０日に出願された、「Quality Of Service Related Enhancements for LTE Over Shared Spectrum」と題する、Ｙｅｒｒａｍａｌｌｉらによる米国仮特許出願第６２／１９９，１３８号の優先権を主張する。
【技術分野】
【０００２】
[0002]以下は、一般にワイヤレス通信に関し、より詳細には、共有スペクトル上のロングタームエボリューション（ＬＴＥ（登録商標））動作のためのサービス品質（ＱｏＳ）関係拡張に関する。
【背景技術】
【０００３】
[0003]ワイヤレス通信システムは、音声、ビデオ、パケットデータ、メッセージング、ブロードキャストなどの様々なタイプの通信コンテンツを提供するために広く展開されている。これらのシステムは、利用可能なシステムリソース（たとえば、時間、周波数、および電力）を共有することによって複数のユーザとの通信をサポートすることが可能な多元接続システムであり得る。そのような多元接続システムの例としては、符号分割多元接続（ＣＤＭＡ）システム、時分割多元接続（ＴＤＭＡ）システム、周波数分割多元接続（ＦＤＭＡ）システム、シングルキャリア周波数分割多元接続（ＳＣ−ＦＤＭＡ）システム、および直交周波数分割多元接続（ＯＦＤＭＡ）システムがある。
【０００４】
[0004]例として、第１のワイヤレス多元接続通信システムは、ＬＴＥなど、無線アクセス技術（ＲＡＴ）に従って動作し得、場合によってはユーザ機器（ＵＥ）として知られる、複数の通信デバイスのための通信を各々が同時にサポートする、いくつかの基地局を含み得る。基地局は、（たとえば、基地局からＵＥへの送信のために）ダウンリンクチャネル上でＵＥと通信し、（たとえば、ＵＥから基地局への送信のために）アップリンクチャネル上でＵＥと通信し得る。第２のワイヤレス多元接続通信システムは、Ｗｉ−Ｆｉ（登録商標）など、異なるＲＡＴに従って動作し得、複数のモバイルデバイスまたは局（ＳＴＡ）のための通信を各々が同時にサポートする、いくつかの基地局またはアクセスポイント（ＡＰ）を含み得る。ＡＰは、ダウンストリームおよびアップストリームリンク上でＳＴＡと通信し得る。いくつかの場合には、両方のタイプの通信システムが、互いの存在下で動作し得、共有リソースを使用し得る。
【０００５】
[0005]Ｗｉ−Ｆｉなど、ワイヤレスローカルエリアネットワーク（ＷＬＡＮ）では、ＡＰは共有無線周波数スペクトル上で複数のＳＴＡと通信し得る。ＳＴＡは、共有無線周波数スペクトルのチャネルが利用可能であるかどうかを決定するために、クリアチャネルアセスメント（ＣＣＡ：clear channel assessment）プロシージャを含む、リッスンビフォアトーク（ＬＢＴ：listen before talk）など、競合プロシージャを使用し得る。また、競合プロシージャは、制御フレームの交換を介した通信リンクの確認が、近くの通信デバイスが受ける干渉を制限するように、通信リンクを確立するより前に１つまたは複数の制御フレームを通信することを伴い得る。そのような技法の一例としては、たとえば、別のデバイス（たとえば、別のＳＴＡまたはＡＰ）と通信することを期待するＳＴＡがそのデバイスに送信要求（ＲＴＳ：Request to Send）フレームを最初に送り得る、ＲＴＳおよび送信可（ＣＴＳ：Clear to Send）メッセージングがある。受信側デバイスがＲＴＳフレームを受信すると、受信側デバイスは、ＣＴＳフレームを送ることによって通信リンクを確認し得る。ＣＴＳフレームがＳＴＡによって受信された後、ＳＴＡは、次いで、受信側デバイスにデータを送信し始め得る。このようにして、ＲＴＳ／ＣＴＳメッセージングは、ＳＴＡまたはＡＰなど、デバイスが、本質的に、ＡＰまたはＳＴＡにデータを送信する前に通信経路をクリアすることを可能にすることによって、フレーム衝突を低減することができる。
【０００６】
[0006]ＬＴＥネットワークでは、基地局は、キャリアのリソースが基地局によって中央で割り振られる多元接続技法を使用して、専用周波数スペクトル（たとえば、事業者認可周波数帯域）中のキャリア上でＵＥと通信し得る。専用（たとえば、認可）無線周波数帯域を使用するセルラーネットワークにおけるデータトラフィックの増加とともに、少なくとも一部のデータトラフィックの、共有（たとえば、無認可）無線周波数スペクトルへのオフローディングは、セルラー事業者に拡張データ送信容量のための機会を与え得る。共有無線周波数スペクトルはまた、専用無線周波数スペクトルへのアクセスが利用不可能であるエリア中でサービスを与え得る。ＬＴＥベース伝送プロトコルを使用して共有周波数スペクトル中で動作することが可能であるＬＴＥデバイスは、ＬＴＥ無認可（ＬＴＥ−Ｕ：LTE-Unlicensed）デバイスであると考えられ得る。
【０００７】
[0007]共有無線周波数スペクトルへのアクセスを獲得し、共有無線周波数スペクトル上で通信するより前に、ＬＴＥ−Ｕ基地局またはＵＥは、共有無線周波数スペクトルへのアクセスを獲得するためにＷｉ−Ｆｉデバイスによって使用される競合プロシージャに適合するＬＢＴプロシージャを実行し得る。したがって、同じ共有無線周波数スペクトルへのアクセスを求めて競合するＬＴＥ−ＵおよびＷｉ−Ｆｉデバイスは、各々、他のユーザからの干渉を緩和しながら通信を送信および受信することが可能であり得る。
【０００８】
[0008]いくつかの場合には、ＬＴＥ−Ｕ動作を採用するネットワークは、様々な構成において展開され得る地理的エリア内の複数の基地局を有し得る。たとえば、それらの分離距離に基づいて、共有スペクトルのキャリア上の１つの基地局からの送信は、そのキャリアをビジーとして検出することをネイバリング基地局に行わせることも行わせないこともある。さらに、ネットワーク事業者は、ネイバリング基地局間の干渉を緩和するために送信電力を調整することができる。しかしながら、ネットワーク展開は、共有スペクトルの他のユーザを考慮に入れないことがあり、ＬＴＥ−Ｕ動作を採用する基地局と他のユーザとの間の干渉を管理する際に課題が生じ得る。
【発明の概要】
【０００９】
[0009]ＬＴＥ−Ｕを採用するネットワークのためのサービス品質（ＱｏＳ）または通信サービスに基づくリソース管理に対する拡張のための方法、システム、およびデバイスが説明される。説明される技法は、共有スペクトルのキャリア上で動作する複数の基地局のためのデータサービスセットに基づく、通信リソースの、リソースセットへの分離を含む。基地局は、同期された通信時間リソースを使用し得る。各データサービスセットは、１つまたは複数のＱｏＳタイプおよび／または通信サービスを含み得る。異なるリソースセット中で実行される競合プロシージャのためのリッスンビフォアトーク（ＬＢＴ）パラメータは異なり得る。キャリア上の通信のために構成されたＵＥは、ＵＥによるアクティブ通信に関連しないリソースセットについてスリープ状態に入るリソースセットベース間欠受信（ＤＲＸ）モードを採用し得る。チャネル状態情報（ＣＳＩ）報告はキャリアのためのリソースセットによって分離され得る。
【００１０】
[0010]ワイヤレス通信の方法が説明される。本方法は、複数の基地局のうちの基地局において、複数の基地局のためのリソース割振りパターンを識別することと、ここにおいて、リソース割振りパターンは、共有スペクトル中のキャリアの通信時間リソースを、異なるデータサービスセットに関連する複数のリソースセットにグループ化する、異なるデータサービスセットのうちの第１のデータサービスセットに関連する第１のリソースセットを識別することと、少なくとも１つのユーザ機器と、第１のリソースセット上で第１のデータサービスセットに関連する第１のデータトラフィックを通信することとを含み得る。
【００１１】
[0011]ワイヤレス通信のための装置が説明される。本装置は、複数の基地局のうちの基地局において、複数の基地局のためのリソース割振りパターンを識別するための手段と、ここにおいて、リソース割振りパターンは、共有スペクトル中のキャリアの通信時間リソースを、異なるデータサービスセットに関連する複数のリソースセットにグループ化する、異なるデータサービスセットのうちの第１のデータサービスセットに関連する第１のリソースセットを識別するための手段と、少なくとも１つのユーザ機器と、第１のリソースセット上で第１のデータサービスセットに関連する第１のデータトラフィックを通信するための手段とを含み得る。
【００１２】
[0012]ワイヤレス通信のためのさらなる装置が説明される。本装置は、プロセッサと、プロセッサと電子通信しているメモリと、メモリに記憶された命令とを含み得、命令は、プロセッサによって実行されたとき、複数の基地局のうちの基地局において、複数の基地局のためのリソース割振りパターンを識別することと、ここにおいて、リソース割振りパターンは、共有スペクトル中のキャリアの通信時間リソースを、異なるデータサービスセットに関連する複数のリソースセットにグループ化する、異なるデータサービスセットのうちの第１のデータサービスセットに関連する第１のリソースセットを識別することと、少なくとも１つのユーザ機器と、第１のリソースセット上で第１のデータサービスセットに関連する第１のデータトラフィックを通信することとを本装置に行わせるように動作可能である。
【００１３】
[0013]ワイヤレス通信のためのコードを記憶する非一時的コンピュータ可読媒体が説明される。コードは、複数の基地局のうちの基地局において、複数の基地局のためのリソース割振りパターンを識別することと、ここにおいて、リソース割振りパターンは、共有スペクトル中のキャリアの通信時間リソースを、異なるデータサービスセットに関連する複数のリソースセットにグループ化する、異なるデータサービスセットのうちの第１のデータサービスセットに関連する第１のリソースセットを識別することと、少なくとも１つのユーザ機器と、第１のリソースセット上で第１のデータサービスセットに関連する第１のデータトラフィックを通信することとを行うために実行可能な命令を含み得る。
【００１４】
[0014]本明細書で説明される方法、装置、または非一時的コンピュータ可読媒体のいくつかの例では、通信することは、第１のデータサービスに少なくとも部分的に基づいて、リッスンビフォアトーク（ＬＢＴ）パラメータを決定することと、ＬＢＴパラメータに少なくとも部分的に基づいて、キャリア上でクリアチャネルアセスメント（ＣＣＡ）を実行することと、成功したＣＣＡが実行されたと決定することに少なくとも部分的に基づいて、第１のリソースセット上で第１のデータトラフィックを送信することとを備える。ＬＢＴパラメータは、競合ウィンドウサイズ、延期期間、競合ウィンドウ適応スキーム、エネルギー検出しきい値、モノのインターネットリソースセットに関連するパラメータ、またはそれらの任意の組合せのいずれかを含み得る。いくつかの例は、第１のデータサービスセットに基づいて第１のデータトラフィックを通信することのためのあるタイプのＨＡＲＱプロセスをアクティブにすることを含み得る。
【００１５】
[0015]本明細書で説明される方法、装置、または非一時的コンピュータ可読媒体のいくつかの例では、通信することは、第１のリソースセット上で第１のデータトラフィックを受信することを備える。追加または代替として、いくつかの例では、リソース割振りパターンを識別することは、複数の基地局に関連するネットワークデバイスからリソース割振りパターンを受信することを備える。
【００１６】
[0016]本明細書で説明される方法、装置、または非一時的コンピュータ可読媒体のいくつかの例は、無線アクセスネットワークにリソース割振りパターンをブロードキャストするためのプロセス、特徴、手段、または命令をさらに含み得、ここにおいて、無線アクセスネットワークは複数の基地局に関連する。追加または代替として、いくつかの例は、少なくとも１つのユーザ機器に、リソース割振りパターンを送信するためのプロセス、特徴、手段、または命令を含み得る。
【００１７】
[0017]本明細書で説明される方法、装置、または非一時的コンピュータ可読媒体のいくつかの例では、通信時間リソースは、フレーム、サブフレーム、シンボル期間、または送信時間間隔（ＴＴＩ）のいずれかである。追加または代替として、いくつかの例では、各リソースセットは、複数の連続通信時間リソースを備える。
【００１８】
[0018]本明細書で説明される方法、装置、または非一時的コンピュータ可読媒体のいくつかの例は、複数の基地局のための第２のリソース割振りパターンを識別するためのプロセス、特徴、手段、または命令をさらに含み得、ここにおいて、第２のリソース割振りパターンは、共有スペクトル中の第２のキャリアの第２の通信時間リソースを、異なるデータサービスセットのうちの１つまたは複数に関連する第２の複数のリソースセットにグループ化し、ここにおいて、第２の複数のリソースセットは、複数のリソースセットとは異なって割り振られる。
【００１９】
[0019]本明細書で説明される方法、装置、または非一時的コンピュータ可読媒体のいくつかの例では、通信時間リソースは、複数の基地局について同期される。追加または代替として、いくつかの例では、異なるデータサービスセットの各々が、１つまたは複数のサービス品質（ＱｏＳ）識別子、１つまたは複数のサービスタイプ識別子、またはそれらの組合せのいずれかに関連する。
【００２０】
[0020]ワイヤレス通信の方法が説明される。本方法は、共有スペクトル中のキャリアのためのリソース割振りパターンを識別することと、ここにおいて、リソース割振りパターンは、キャリアの通信時間リソースを、異なるデータサービスに関連する複数のリソースセットにグループ化する、異なるデータサービスのうちの第１のデータサービスに関連する第１のリソースセットを識別することと、キャリアに関連する基地局と、第１のリソースセット上で第１のデータサービスに関連する第１のデータトラフィックを通信することとを含み得る。
【００２１】
[0021]ワイヤレス通信のための装置が説明される。本装置は、共有スペクトル中のキャリアのためのリソース割振りパターンを識別するための手段と、ここにおいて、リソース割振りパターンは、キャリアの通信時間リソースを、異なるデータサービスに関連する複数のリソースセットにグループ化する、異なるデータサービスのうちの第１のデータサービスに関連する第１のリソースセットを識別するための手段と、キャリアに関連する基地局と、第１のリソースセット上で第１のデータサービスに関連する第１のデータトラフィックを通信するための手段とを含み得る。
【００２２】
[0022]ワイヤレス通信のためのさらなる装置が説明される。本装置は、プロセッサと、プロセッサと電子通信しているメモリと、メモリに記憶された命令とを含み得、命令は、プロセッサによって実行されたとき、共有スペクトル中のキャリアのためのリソース割振りパターンを識別することと、ここにおいて、リソース割振りパターンは、キャリアの通信時間リソースを、異なるデータサービスに関連する複数のリソースセットにグループ化する、異なるデータサービスのうちの第１のデータサービスに関連する第１のリソースセットを識別することと、キャリアに関連する基地局と、第１のリソースセット上で第１のデータサービスに関連する第１のデータトラフィックを通信することとを本装置に行わせるように動作可能である。
【００２３】
[0023]ワイヤレス通信のためのコードを記憶する非一時的コンピュータ可読媒体が説明される。コードは、共有スペクトル中のキャリアのためのリソース割振りパターンを識別することと、ここにおいて、リソース割振りパターンは、キャリアの通信時間リソースを、異なるデータサービスに関連する複数のリソースセットにグループ化する、異なるデータサービスのうちの第１のデータサービスに関連する第１のリソースセットを識別することと、キャリアに関連する基地局と、第１のリソースセット上で第１のデータサービスに関連する第１のデータトラフィックを通信することとを行うために実行可能な命令を含み得る。
【００２４】
[0024]本明細書で説明される方法、装置、または非一時的コンピュータ可読媒体のいくつかの例では、通信することは、第１のデータトラフィックについて第１のリソースセット中にキャリアに関連するチャネルをモニタすることを備える。追加または代替として、いくつかの例は、複数のリソースセットのうちの１つまたは複数のリソースセット中にスリープ状態に入るためのプロセス、特徴、手段、または命令を含み得る。
【００２５】
[0025]本明細書で説明される方法、装置、または非一時的コンピュータ可読媒体のいくつかの例では、スリープ状態に入ることは、複数のリソースセットのうちの１つまたは複数のリソースセット中に受信機を無効にすることを備える。追加または代替として、いくつかの例は、複数のリソースセットのうちのそれぞれのリソースセットのための１つまたは複数のチャネル品質インジケータ（ＣＱＩ）測定値を報告するためのプロセス、特徴、手段、または命令を含み得、ここにおいて、報告されたＣＱＩ測定値は、それぞれのリソースセットに関連するチャネル状態情報（ＣＳＩ）リソースに少なくとも部分的に基づく。
【００２６】
[0026]本明細書で説明される方法、装置、または非一時的コンピュータ可読媒体のいくつかの例では、第１のデータサービスを識別することは、第１のデータサービスに関連するアクティブベアラを識別すること、第１のデータサービスに関連するアクティブサービスを識別すること、またはそれらの組合せのいずれかを備える。
【００２７】
[0027]本明細書で説明される方法、装置、または非一時的コンピュータ可読媒体のいくつかの例は、ＬＴＥ−Ｕのためのサービス品質関係拡張のためのプロセス、特徴、手段、または命令をさらに含み得る。説明されたシステム、方法、装置、またはコンピュータ可読媒体の適用性のさらなる範囲が、以下の発明を実施するための形態、特許請求の範囲、および図面から明らかになろう。発明を実施するための形態の範囲内の様々な変更および改変が当業者に明らかになるので、発明を実施するための形態および特定の例は例示として与えられるものにすぎない。
【図面の簡単な説明】
【００２８】
[0028]本開示の性質および利点のさらなる理解は、以下の図面を参照して実現され得る。添付の図では、同様の構成要素または特徴は同じ参照ラベルを有し得る。さらに、同じタイプの様々な構成要素は、参照ラベルの後に、ダッシュと、それらの同様の構成要素同士を区別する第２のラベルとを続けることによって区別され得る。第１の参照ラベルのみが本明細書において使用される場合、その説明は、第２の参照ラベルにかかわらず、同じ第１の参照ラベルを有する同様の構成要素のいずれにも適用可能である。
【図１】本開示の様々な態様による、ＬＴＥ−Ｕのためのサービス品質関係拡張をサポートするワイヤレス通信システムの一例を示す図。
【図２】本開示の様々な態様による、ＬＴＥ−Ｕのためのサービス品質関係拡張をサポートするワイヤレス通信サブシステムの一例を示す図。
【図３Ａ】本開示の様々な態様による、ＬＴＥ−Ｕのためのサービス品質関係拡張のための送信スキームの例を示す図。
【図３Ｂ】本開示の様々な態様による、ＬＴＥ−Ｕのためのサービス品質関係拡張のための送信スキームの例を示す図。
【図４】本開示の様々な態様による、ＬＴＥ−Ｕのためのサービス品質関係拡張をサポートするＣＳＩ報告スキームの一例を示す図。
【図５】本開示の様々な態様による、ＬＴＥ−Ｕのためのサービス品質関係拡張をサポートするＤＲＸモードの一例を示す図。
【図６】本開示の様々な態様による、ＬＴＥ−Ｕのためのサービス品質関係拡張をサポートするプロセスフローの一例を示す図。
【図７】本開示の様々な態様による、ＬＴＥ−Ｕのためのサービス品質関係拡張をサポートするワイヤレスデバイスのブロック図。
【図８】本開示の様々な態様による、ＬＴＥ−Ｕのためのサービス品質関係拡張をサポートするワイヤレスデバイスのブロック図。
【図９】本開示の様々な態様による、ＬＴＥ−Ｕのためのサービス品質関係拡張をサポートする基地局を含むシステムのブロック図。
【図１０】本開示の様々な態様による、ＬＴＥ−Ｕのためのサービス品質関係拡張をサポートするワイヤレスデバイスのブロック図。
【図１１】本開示の様々な態様による、ＬＴＥ−Ｕのためのサービス品質関係拡張をサポートするワイヤレスデバイスのブロック図。
【図１２】本開示の様々な態様による、ＬＴＥ−Ｕのためのサービス品質関係拡張をサポートするワイヤレスデバイスのブロック図。
【図１３】本開示の様々な態様による、ＬＴＥ−Ｕのためのサービス品質関係拡張をサポートするユーザ機器（ＵＥ）を含むシステムのブロック図。
【図１４】本開示の様々な態様による、ＬＴＥ−Ｕのためのサービス品質関係拡張のための方法を示す図。
【図１５】本開示の様々な態様による、ＬＴＥ−Ｕのためのサービス品質関係拡張のための方法を示す図。
【図１６】本開示の様々な態様による、ＬＴＥ−Ｕのためのサービス品質関係拡張のための方法を示す図。
【図１７】本開示の様々な態様による、ＬＴＥ−Ｕのためのサービス品質関係拡張のための方法を示す図。
【図１８】本開示の様々な態様による、ＬＴＥ−Ｕのためのサービス品質関係拡張のための方法を示す図。
【発明を実施するための形態】
【００２９】
[0040]ロングタームエボリューション無認可（ＬＴＥ−Ｕ）を採用するネットワークのためのサービス品質（ＱｏＳ）または通信サービスタイプに基づくリソース管理に対する拡張のための技法が説明される。リソース割振りパターンが、地理的エリア内で動作する複数の基地局のために指定され得る。リソース割振りパターンは、通信時間リソースを、異なるデータサービスセットに関連するリソースセットにグループ化し得る。基地局は、同期された通信時間リソースを使用し得る。各データサービスセットは、１つまたは複数のＱｏＳタイプおよび／または通信サービスタイプを含み得る。異なるリソースセット中で実行される競合プロシージャのためのリッスンビフォアトーク（ＬＢＴ）パラメータは異なり得る。各基地局は、（たとえば、バックホールリンクまたはブロードキャスト通信などを介して）リソース割振りパターンを識別し、異なるデータサービスセットに関連するリソースセット（たとえば、いくつかの連続通信時間リソース）を識別し得る。各基地局は、次いで、データサービスセットごとにデータキューを維持し、対応するリソースセット中に、キューイングされたデータを通信し得る。データサービスセットごとの時間アラインされたＣＣＡプロシージャは、複数の基地局によるより高い周波数再利用と、キャリア上の通信の増加された効率とを生じ得る。
【００３０】
[0041]キャリア上の通信のために構成されたＵＥは、リソース割振りパターンを受信および識別し、どのリソースセットが、ＵＥによる通信のために使用されるデータサービスセットに対応するかを識別し得る。ＵＥは、次いで、対応するリソースセット中に、基地局と、異なるタイプのデータを通信し得る。ＵＥは、ＵＥによるアクティブ通信に関連しないリソースセットについてスリープモードに入るリソースセットベース間欠受信（ＤＲＸ）モードを採用し得る。チャネル状態情報（ＣＳＩ）報告はキャリアのためのリソースセットによって分離され得る。
【００３１】
[0042]図１は、本開示の様々な態様による、ＬＴＥ−Ｕのためのサービス品質関係拡張をサポートするワイヤレス通信システム１００の一例を示す。ワイヤレス通信システム１００は、基地局１０５とＵＥ１１５とを含むネットワーク事業者に関連する多元接続ネットワークを含む。基地局はコアネットワーク１３０を介して互いと通信し得る。いくつかの例では、多元接続ネットワークは、ＬＴＥ／ＬＴＥアドバンスト（ＬＴＥ−Ａ）ネットワークであり得る。ワイヤレス通信システム１００は、Ｗｉ−Ｆｉを使用して通信し得るＡＰ１５０とＳＴＡ１５５とを含むワイヤレスローカルエリアネットワーク（ＷＬＡＮ）をも含み得る。
【００３２】
[0043]基地局１０５は、１つまたは複数の基地局アンテナを介してＵＥ１１５とワイヤレス通信し得る。基地局１０５の各々は、それぞれの地理的カバレージエリア１１０に通信カバレージを与え得る。ワイヤレス通信システム１００に示されている通信リンク１２５は、ＵＥ１１５から基地局１０５へのアップリンク（ＵＬ）送信、または基地局１０５からＵＥ１１５へのダウンリンク（ＤＬ）送信を含み得る。基地局１０５は互いと通信し得る。たとえば、基地局１０５は、バックホールリンク１３２（たとえば、Ｓ１など）を通じてまたは無線アクセスネットワークに情報をブロードキャストすることによって、コアネットワーク１３０とインターフェースし得る。基地局１０５はまた、直接または間接的にのいずれかで（たとえば、コアネットワーク１３０を通じて）バックホールリンク１３４（たとえば、Ｘ１など）を通して互いと通信し得る。基地局１０５は、ＵＥ１１５との通信のための無線構成およびスケジューリングを実行し得るか、または基地局コントローラ（図示せず）の制御下で動作し得る。いくつかの例では、基地局コントローラは基地局１０５にリソース割振りパターンを与え得る。リソース割振りパターンは、基地局１０５のための通信リソースをリソースセットにグループ化し得、基地局１０５からの送信間の同期を可能にし得る。様々な例では、基地局１０５は、マクロセル、スモールセル、ホットスポットなどであり得る。基地局１０５は、いくつかの例では、ｅノードＢ（ｅＮＢ）と呼ばれることもある。
【００３３】
[0044]ＵＥ１１５は、ワイヤレス通信システム１００全体にわたって分散され得、各ＵＥ１１５は固定または移動であり得る。ＵＥ１１５は、移動局、加入者局、リモートユニット、ワイヤレスデバイス、アクセス端末、ハンドセット、ユーザエージェント、クライアント、または何らかの他の好適な用語で呼ばれることもある。ＵＥ１１５はまた、セルラーフォン、ワイヤレスモデム、ハンドヘルドデバイス、パーソナルコンピュータ、タブレット、パーソナル電子デバイス、マシンタイプ通信（ＭＴＣ）デバイスなどであり得る。ＵＥ１１５は、基地局１０５と通信し得、高速回復プロシージャをサポートし得る。
【００３４】
[0045]ＵＥ１１５は、キャリアアグリゲーション（ＣＡ）構成において複数のキャリアで構成され得、通信リンク１２５はそのようなマルチキャリアＣＡ構成を表し得る。キャリアは、コンポーネントキャリア（ＣＣ）、レイヤ、チャネルなどと呼ばれることもある。「コンポーネントキャリア」という用語は、ＣＡ動作においてＵＥによって利用される複数のキャリアの各々を指すことがあり、システム帯域幅の他の部分とは別個であり得る。たとえば、ＣＣは、独立して、または他のコンポーネントキャリアと組み合わせて利用されることが可能である比較的狭い帯域幅のキャリアであり得る。各ＣＣは、分離キャリアと同じ能力を与え得る。複数のコンポーネントキャリアは、いくつかのＵＥ１１５に、より大きい帯域幅と、たとえば、より高いデータレートとを与えるために、アグリゲートされるか、またはコンカレントに利用され得る。したがって、個々のＣＣは、レガシーＵＥ１１５（たとえば、ＬＴＥリリース８またはリリース９を実装するＵＥ１１５）との後方互換性があることがあるが、他のＵＥ１１５（たとえば、リリース１０＋のＬＴＥバージョンを実装するＵＥ１１５）は、マルチキャリアモードにおいて複数のコンポーネントキャリアで構成され得る。ＤＬのために使用されるキャリアはＤＬ  ＣＣと呼ばれることがあり、ＵＬのために使用されるキャリアはＵＬ  ＣＣと呼ばれることがある。ＵＥ１１５は、キャリアアグリゲーションのために、複数のＤＬ  ＣＣと１つまたは複数のＵＬ  ＣＣとで構成され得る。各キャリアは、制御情報（たとえば、基準信号、制御チャネルなど）、オーバーヘッド情報、データなどを送信するために使用され得る。
【００３５】
[0046]ＵＥ１１５は、複数のキャリアを利用して単一の基地局１０５と通信し得、また、異なるキャリア上で同時に複数の基地局１０５と通信し得る。基地局１０５の各セルは、ＵＬ  ＣＣとＤＬ  ＣＣとを含み得る。基地局１０５のための各サービングセルのカバレージエリア１１０は異なり得る（たとえば、異なる周波数帯域上のＣＣは、異なる経路損失を経験し得る）。いくつかの例では、あるキャリアは、プライマリセル（ＰＣｅｌｌ）によってサービスされ得る、ＵＥ１１５のためのプライマリキャリアまたはプライマリコンポーネントキャリア（ＰＣＣ）として指定される。プライマリセルは、ＵＥごとに上位レイヤ（たとえば、無線リソース制御（ＲＲＣ）など）によって半静的に構成され得る。あるアップリンク制御情報（ＵＣＩ）、たとえば、物理アップリンク制御チャネル（ＰＵＣＣＨ）上で送信された、ＡＣＫ／ＮＡＣＫ、チャネル品質インジケータ（ＣＱＩ）、およびスケジューリング情報は、プライマリセルによって搬送される。追加のキャリアは、セカンダリセル（ＳＣｅｌｌ）によってサービスされ得る、セカンダリキャリア、またはセカンダリコンポーネントキャリア（ＳＣＣ）として指定され得る。セカンダリセルは、同様に、ＵＥごとに半静的に構成され得る。いくつかの場合には、セカンダリセルは、プライマリセルと同じ制御情報を含まないかまたはそれを送信するように構成されないことがある。
【００３６】
[0047]いくつかの場合には、ワイヤレス通信システム１００は１つまたは複数の拡張コンポーネントキャリア（ｅＣＣ：enhanced component carrier）を利用し得る。拡張コンポーネントキャリア（ｅＣＣ）は、より広い帯域幅と、より短いシンボル持続時間と、より短い送信時間間隔（ＴＴＩ）と、変更された制御チャネル構成とを含む、１つまたは複数の特徴によって特徴づけられ得る。いくつかの場合には、ｅＣＣは、（たとえば、複数のサービングセルが準最適なバックホールリンクを有するとき）キャリアアグリゲーション（ＣＡ）構成またはデュアル接続性構成に関連し得る。ｅＣＣはまた、（たとえば、２つ以上の事業者が、スペクトルを使用することを認可または許可された場合）無認可スペクトルまたは複数事業者スペクトルにおいて使用するために構成され得る。本明細書で使用される、「共有スペクトル」は、無認可スペクトル、複数事業者スペクトル、またはプライマリユーザまたは事業者を有するが他のユーザによる日和見的アクセスを可能にするスペクトルを指す。広帯域幅によって特徴づけられるｅＣＣは、全帯域幅をモニタすることが可能でないか、または（たとえば、電力を節約するために）限られた帯域幅を使用することを選好するＵＥ１１５によって利用され得る１つまたは複数のセグメントを含み得る。ｅＣＣは、動的時分割複信（ＴＤＤ）動作を利用し得る（すなわち、それは、動的状態に従って短いバーストの間ダウンリンク（ＤＬ）動作からアップリンク（ＵＬ）動作に切り替わり得る）。いくつかの場合には、ｅＣＣは、ＵＬおよびＤＬ送信のためにより短いＴＴＩ（たとえば、１シンボルＴＴＩ、２シンボルＴＴＩなど）を利用し得る。
【００３７】
[0048]いくつかの例では、基地局１０５およびＵＥ１１５の多元接続ネットワークは、第１の無線アクセス技術（たとえば、ＬＴＥ／ＬＴＥ−Ａ技術など、セルラー無線アクセス技術）に従って動作するが、第２の無線アクセス技術（たとえば、Ｗｉ−Ｆｉ技術）に従って動作する１つまたは複数のネットワークまたはノードの存在下で動作し得る。例として、図１は、Ｗｉ−Ｆｉ局（ＳＴＡ）１５５と通信しているＷｉ−Ｆｉアクセスポイント（ＡＰ）１５０から構成されるネットワークを示す。いくつかの例では、ＵＥ１１５または基地局１０５は、Ｗｉ−Ｆｉによって使用される無認可帯域中の動作をサポートするＬＴＥ−Ｕデバイスであり得る。ＳＴＡ１５５またはＡＰ１５０は、ＬＴＥをサポートし得るがＬＴＥ−Ｕ動作のために構成されないことがあるＷｉ−Ｆｉデバイスであり得る。明快のために、ＬＴＥ−Ｕデバイスは基地局１０５またはＵＥ１１５と呼ばれ、非ＬＴＥ−ＵデバイスはＡＰ１５０またはＳＴＡ１５５と呼ばれる。
【００３８】
[0049]基地局１０５またはＵＥ１１５など、ＬＴＥ−Ｕデバイスは、（たとえば、スタンドアロンモードでの）専用または共有スペクトル上の通信のために単一のＣＣを利用し得る。追加または代替として、ＬＴＥ−Ｕデバイスは、（たとえば、ライセンス支援モードでの）専用または共有スペクトル上の通信のために、（たとえば、専用スペクトルに関連する）ＰＣＣおよび（たとえば、共有スペクトルに関連する）ＳＣＣなど、複数のＣＣを利用し得る。いくつかの場合には、ＣＣは、短いＴＴＩ、より短いシンボル持続時間、より広い帯域幅などのうちの１つまたは複数をサポートするｅＣＣであり得る。ＵＥ１１５など、ＬＴＥ−Ｕデバイスはまた、ＣＣに関連する、基地局１０５など、別のＬＴＥ−ＵデバイスにＣＳＩフィードバック情報を送信し得る。ＣＳＩは、チャネル品質情報（ＣＱＩ）、ランクインジケーション（ＲＩ）、またはプリコーディング行列インジケータ（ＰＭＩ）を含み得る。この情報は、変調およびコーディングスキーム（ＭＣＳ）、ランク、プリコーディングスキームなどを決定するために基地局１０５によって使用され得る。ＵＥ１１５は、ＣＣを介して周期的にまたは非周期的にのいずれかでＣＳＩ情報を報告し得る。（たとえば、ライセンス支援モードで）複数のＣＣを使用するＬＴＥ−Ｕデバイスは、基地局１０５によって割り振られたアップリンクリソースを使用してプライマリＣＣとセカンダリＣＣの両方のためにプライマリＣＣ上でＣＳＩ報告を送信し得る。
【００３９】
[0050]いくつかの場合には、近くの基地局１０５のセットは多数のＵＥ１１５をサポートしていることがある。基地局１０５は、認可スペクトルからトラフィックをオフロードし、増加されたスループットを用いてＵＥ１１５をサービスするために、共有スペクトルを利用し得る。各ＵＥ１１５は、異なるタイプのデータ（たとえば、ボイス、ストリーミング、電子メールなど）またはサービス（たとえば、拡張マルチメディアブロードキャストマルチサービス（ｅＭＢＭＳ）、モノのインターネット（ＩｏＴ：Internet of Things）サービスなど）をサービング基地局１０５に要求し得る。各データタイプは、ネットワークが、良好なユーザエクスペリエンスを保証するために満たそうとし得る異なるサービス品質（ＱｏＳ）ターゲットに関連し得る。さらに、異なるサービスが、異なるデータレートおよび／または信頼性ターゲットに関連し得る。ネットワークは、所望のデータレートにおける異なるデータおよびサービスタイプを与えるために、ＵＥ１１５のための複数のベアラを構成し得る。各ベアラは、ベアラのための最小ビットレートを示し得る、優先度および保証ビットレート（ＧＢＲ：guaranteed bit rate）など、送信パラメータに関連し得る。ＵＥは、（たとえば、ベアラまたはベアラのグループなどごとに）キューイングされたアップリンクデータに従ってアップリンクリソースを要求し、アップリンクリソースを割り振られ得る。ＵＥ１１５は、ベアラの間で、割り振られたアップリンクリソースを分配するために送信パラメータを使用し得る。
【００４０】
[0051]共有チャネル上で送信する前に、基地局１０５またはＵＥ１１５など、ＬＴＥ−Ｕデバイスは、共有チャネルの制御を得るためにＬＢＴプロシージャを実行し得る。ＬＢＴプロシージャは、ＬＢＴパラメータ（たとえば、競合ウィンドウサイズ、延期期間、競合適応スキーム、エネルギー検出しきい値、モノのインターネットリソースセットに関連するパラメータなど）に基づいて、共有チャネルが利用可能であるかどうかを決定するためにＣＣＡを実行することを含み得る。競合ウィンドウサイズは、デバイスが、チャネルがクリアであると決定するまで待つ持続時間に対応し得、延期期間は、デバイスが、チャネルをクリアするさらなる試みをその間に延期する持続時間（たとえば、ランダムバックオフ期間）に対応し得る。競合適応スキームは、競合プロシージャ中に競合ウィンドウサイズを変更することに関し得る。たとえば、デバイスは、チャネルにアクセスすることの尤度を増加させるために、各失敗したＣＣＡの後に競合ウィンドウサイズを減少させ得る。エネルギー検出しきい値は、チャネルがクリアでないことを示すＣＣＡ中にチャネル上で検出されたエネルギーの量に対応し得る。エネルギー検出しきい値を変更することは、キャリア上の他の送信に対する感度を減少または増加させ得る。
【００４１】
[0052]デバイスが、チャネルが利用可能であると決定した場合、それは、それがチャネル上で送信しようとしていることを他のデバイスにアラートするために、プリアンブル（たとえば、Ｗｉ−Ｆｉプリアンブル、チャネル使用ビーコン（ＣＵＢＳ：channel usage beacon）など）を送信し得る。そうではなく、チャネルが利用可能でない場合、デバイスは、チャネル上で送信することを控え得る。いくつかの場合には、ＣＣＡのために使用されるＬＢＴパラメータは、後続の送信に関連するデータまたはサービスタイプに基づき得る。たとえば、電子メールデータを通信するための競合ウィンドウサイズおよび延期期間は、ボイスデータに関連する競合ウィンドウまたは延期期間よりも長くなり得る。このようにして、ネットワークは、他の情報よりも遅延敏感情報の送信に優先度を付け得る。
【００４２】
[0053]近くのＬＴＥ−Ｕ基地局１０５の各々は、異なるＬＢＴパラメータを使用して異なるＵＥに異なるタイプのデータを送信していることがあるので、ネイバリング基地局１０５の送信は、概して、時間的にアラインされない。ネットワーク事業者は、ネイバリング基地局のグループ内の通信に対する干渉を管理するために、知られている構成において基地局１０５を展開し、電力制限を採用することができるが、これらの技法は、展開された基地局と共有スペクトルの他のユーザとの間の干渉を考慮に入れない。
【００４３】
[0054]基地局１０５またはＵＥ１１５など、ワイヤレス通信システム１００のデバイスは、サービス品質（ＱｏＳ）または通信サービスに基づくリソース管理に対する拡張のために構成され得る。リソース割振りパターンが、地理的エリア内で動作する複数の基地局のために指定され得る。リソース割振りパターンは、通信時間リソースを、異なるデータサービスセットに関連するリソースセットにグループ化し得る。基地局は、同期された通信時間リソースを使用し得る。各データサービスセットは、１つまたは複数のＱｏＳタイプおよび／または通信サービスタイプを含み得る。異なるリソースセット中で実行される競合プロシージャのためのリッスンビフォアトーク（ＬＢＴ）パラメータは異なり得る。各基地局は、（たとえば、バックホールリンクまたはブロードキャスト通信などを介して）リソース割振りパターンを識別し、異なるデータサービスセットに関連するリソースセット（たとえば、いくつかの連続通信時間リソース）を識別し得る。各基地局は、次いで、データサービスセットごとにデータキューを維持し、対応するリソースセット中に、キューイングされたデータを通信し得る。データサービスセットごとの時間アラインされたＣＣＡプロシージャは、複数の基地局によるより高い周波数再利用と、キャリア上の通信の増加された効率と、ハンドオーバプロシージャの簡略化とを生じ得る。
【００４４】
[0055]キャリア上の通信のために構成されたＵＥは、リソース割振りパターンを受信および識別し、どのリソースセットが、ＵＥによる通信のために使用されるデータサービスセットに対応するかを識別し得る。ＵＥは、次いで、対応するリソースセット中に、基地局と、異なるタイプのデータを通信し得る。ＵＥは、ＵＥによるアクティブ通信に関連しないリソースセットについてスリープモードに入るリソースセットベース間欠受信（ＤＲＸ）モードを採用し得る。チャネル状態情報（ＣＳＩ）報告はキャリアのためのリソースセットによって分離され得る。
【００４５】
[0056]図２は、本開示の様々な態様による、ＬＴＥ−Ｕのためのサービス品質関係拡張をサポートするワイヤレス通信サブシステム２００の一例を示す。ワイヤレス通信サブシステム２００は、ＵＥ１１５、基地局１０５、またはＡＰ１５０の例であり得る、ＵＥ１１５−ａと、ＵＥ１１５−ｂと、基地局１０５−ａと、基地局１０５−ｂと、ＡＰ１５０−ａとを含み得、図１を参照しながら上記で説明されたように互いと通信し得る。ワイヤレス通信サブシステム２００は、ワイヤレス通信システム１００の一部分であり得、いくつかの場合には、追加の基地局１０５と、ＵＥ１１５と、ＡＰ１５０と、ＳＴＡ１５５とを含み得る。
【００４６】
[0057]基地局１０５−ａおよび１０５−ｂは、ワイヤレス通信サブシステム２００内のＵＥ１１５に異なるデータタイプおよび／またはサービスを与え得る。異なるデータタイプ（たとえば、ボイス、ＳＭＳ、ビデオ、ストリーミング、電子メール、チャット、ｆｔｐ、ＶｏＩＰなど）は各々、いくつかの例では、１から９にわたるインデックスを有し得る、ＱｏＳクラス識別子（ＱＣＩ：QoS class identifier）に関連し得る。各ＱＣＩインデックスは、指定されたＱＣＩなどに基づいて、送信に優先度を付け、パケット遅延に対する制限を与え、ビット誤り率レベルを設定するＱｏＳパラメータに対応し得る。いくつかの場合には、１つまたは複数のデータタイプが１つまたは複数のＱＣＩインデックスに関連し得る（たとえば、ボイス、ビデオ、およびインタラクティブゲーミングは、すべて、ＱＣＩ＿７に関連し得、ビデオは、ＱＣＩ＿６、ＱＣＩ＿８、およびＱＣＩ＿９にも関連し得る）。ＵＥ１１５に与えられるサービスは、たとえば、ｅＭＢＭＳ、ＭＴＣ、Ｄ２Ｄなどを含み得る。ＭＴＣまたはＤ２Ｄは、たとえば、ＩｏＴに関連するデバイスのサポートのための通信サービスを含み得る。ＩｏＴは、データを交換するためにデバイスおよび／またはオブジェクト間の通信を可能にするエレクトロニクスおよびワイヤレスネットワーキング能力を組み込まれたデバイスおよびオブジェクトのネットワークを表し得る。
【００４７】
[0058]いくつかの場合には、１つまたは複数のデータタイプおよび／または１つまたは複数のデータサービスが、データサービスセット（ＤＳＳ：data service set）に半静的にまたは動的にグループ化され得る。いくつかの場合には、グループ化は、データタイプに指定されたＱＣＩに基づき得る。たとえば、ＤＳＳは、ＱＣＩ＿８とＱＣＩ＿９のいずれかに関連するデータタイプを含むように構成され得る。別の例では、ＤＳＳは、ＭＴＣサービスのためのデータとともに、ＱＣＩ＿８に関連するデータタイプを含むように構成され得る。他の場合には、ただ１つのデータタイプまたはサービスがＤＳＳに関連し得る。たとえば、ＤＳＳは、ＭＴＣサービス（たとえば、ＩｏＴネットワーク）をサポートするように構成され得る。いくつかの場合には、ＩｏＴネットワークに関連するものなど、ＭＴＣデバイスのための通信は、送信を繰り返すことなど、カバレージ拡張技法を利用し得、したがって、ＩｏＴ送信の各繰り返されるインスタンスのための従来のＬＢＴプロシージャは非効率的であり得る。いくつかの例では、ＭＴＣサービスに関連するＤＳＳのためのＬＢＴパラメータは、ＭＴＣ通信を改善するように変更され得る。たとえば、ＭＴＣサービスに関連するＤＳＳのためのＬＢＴパラメータは、低減された競合ウィンドウサイズ、低減された延期期間、増加されたエネルギー検出しきい値、または異なる競合ウィンドウ適応スキーム（たとえば、小さい線形ステップ、または競合が検出されたときに増加なしなど）を含み得る。いくつかの事例では、ＭＴＣ送信からの干渉がかなりの干渉を生じる可能性が低いＭＴＣデバイスＤＳＳ（たとえば、狭帯域ＩｏＴ）に関連するリソースセットのために、非ＣＣＡ準拠送信が可能にされ得る。
【００４８】
[0059]基地局１０５−ａは、通信リンク２０５−ａを介してＵＥ１１５−ａと通信し得る。通信リンク２０５−ａは、基地局１０５−ａとＵＥ１１５−ａとの間の送信をサポートするために共有リソースを使用し得る。いくつかの場合には、通信リンク２０５−ａは複数のＣＣ、ＰＣＣとＳＣＣとを含み得る。ＰＣＣは、専用スペクトル（たとえば、認可スペクトル）を使用して動作し得、ＳＣＣは、共有スペクトル（たとえば、無認可または複数事業者スペクトル）を使用して動作し得る。この構成は認可支援アクセス（ＬＡＡ）モードに関連し得る。代替的に、通信リンク２０５−ａは、スタンドアロンモードと呼ばれ得るモードで、共有スペクトルのみを使用する単一のＣＣを含み得る。認可スペクトル上の通信（たとえば、ＬＴＥ送信）は、スペクトルを使用することを認可されたデバイスの間でスケジュールされ得、共有スペクトル上の通信（たとえば、Ｗｉ−Ｆｉ送信）は他のデバイスと競合し得る。共有スペクトル上の通信は中央ノードにおいてスケジュールされないので、通信は同期されないことがある。しかしながら、ＬＴＥ−Ｕデバイスは、ＤＳＳに従って共有チャネル上の送信を部分的に同期させ得る。一例では、ＬＴＥネットワークは、基地局のグループについて、共有スペクトル中のキャリアのためのリソースをいくつかのリソースセットに区分し得る。各リソースセットは、次いで、ＤＳＳと、関連するＤＳＳとともに含まれるデータタイプのみを送信することに専用である割り振られたリソースとに関連し得る。
【００４９】
[0060]いくつかの場合には、ワイヤレス通信サブシステム２００中のＵＥ１１５によって要求されているデータのタイプおよび／またはサービスが識別され得、ワイヤレス通信サブシステム２００のためのリソース割振りパターンが、識別されたデータタイプとサービスとに基づいて生成され得る。たとえば、リソース割振りパターンは、サブフレームの総数（たとえば、８０個のサブフレーム）のうちのいくつかのサブフレーム（たとえば、最初の２０個のサブフレーム）をあるＤＳＳに周期的に割り振り得る。いくつかの場合には、ＤＳＳはあらかじめ決定され、他の場合には、それらは半静的にまたは動的に定義され得る。ＤＳＳは、ネットワークにおいてＵＥによって要求されているデータのタイプおよび／またはサービスに基づいて決定され得る。他の例では、ＤＳＳは、複数のデータタイプまたはサービスにわたる共通ＬＢＴパラメータを識別することに基づいて決定され得る。いくつかの場合には、要求されたデータのタイプおよびサービスは、ネットワークコントローラ（たとえば、サービングゲートウェイなど）によって決定され得、ネットワークコントローラは、基地局１０５−ａおよび１０５−ｂにリソース割振りパターンを送り、ワイヤレス通信サブシステム２００にわたる同期送信モードを開始し得る。いくつかの場合には、同期送信モードは、（たとえば、スポーツイベント、コンサートなどにおける）高い輻輳レベルの期間中に開始され得る。
【００５０】
[0061]基地局１０５−ａおよび１０５−ｂは、リソース割振りパターンから各ＤＳＳに関連する通信リソースを識別し得る。基地局１０５−ａおよび１０５−ｂはまた、ＤＳＳに関連する送信キュー中のデータを識別し、一緒にグループ化し得る。基地局１０５−ａおよび１０５−ｂは、次いで、送信２１５−ａおよび２１５−ｂによって示されるように、対応するリソースセット中に、ＤＳＳ中に含まれるデータおよびサービスを送信し得る。リソースセットは基地局１０５−ａおよび１０５−ｂについて時間的にアラインされ得、各ＤＳＳに関連する基地局１０５−ａおよび１０５−ｂによる通信の初期化が、同時に（たとえば、実質的に同期、またはシンボル間干渉を緩和するための同期許容差内でなど）実行され得る。たとえば、ＤＳＳに関連するデータのための基地局１０５−ａおよび１０５−ｂによる送信のためのＣＣＡプロシージャは、関連するリソースセットの始まりにおいて同時に始まり得る。基地局１０５−ａと１０５−ｂの両方が、同じデータに関連するリソースセット中でデータを送信し得るので、基地局１０５−ａおよび１０５−ｂは、ＣＣＡのための共通ＬＢＴパラメータを使用し得る。したがって、基地局が、他の基地局からの送信中にビジーとしてキャリアを検出することになる場合でさえ、基地局１０５−ａと１０５−ｂの両方は、同時にＣＣＡプロシージャを完了し、チャネルがクリアであると決定し得る。したがって、基地局１０５−ａと１０５−ｂの両方は、それぞれ、接続されたＵＥ１１５−ａおよびＵＥ１１５−ｂに識別されたデータを送信し始め得る。
【００５１】
[0062]基地局１０５−ａおよび１０５−ｂによる実質的に同時の送信は、ネットワークのための周波数再利用を増加させ得る。たとえば、基地局１０５−ａと１０５−ｂの両方が同時に送信することを可能にすることによって、ＡＰ１５０−ａは、基地局１０５−ａと１０５−ｂの両方による別個の送信を待つこととは対照的に、基地局１０５−ａおよび基地局１０５−ｂからの最近の送信の完了において送信を始め得る。同時送信はまた、ＡＰ１５０−ａおよびＳＴＡ１５５−ａなど、Ｗｉ−ＦｉデバイスがＬＴＥ−Ｕ送信を検出する尤度を増加させ得、ＬＴＥ−Ｕ動作のためにネットワークをより効果的にクリアし得る。さらに、同期送信はＬＴＥ−Ｕデバイス間の干渉消去を改善し得る。たとえば、ＵＥ１１５−ａは、対応する送信によって引き起こされた干渉を消去するために、基地局１０５−ｂから受信された基準信号を使用し得る。
【００５２】
[0063]いくつかの場合には、基地局１０５−ａおよび１０５−ｂは、ネットワークにおける他の基地局と、ＵＥ１１５−ａおよびＵＥ１１５−ｂなど、ＵＥとにネットワーク上でリソース割振りパターンをブロードキャストし得る。一例では、ＵＥ１１５−ａおよびＵＥ１１５−ｂは、リソース割振りパターンを受信し、どのリソースセットがどのデータサービスセットに関連するかを識別し得る。ＵＥ１１５−ａおよびＵＥ１１５−ｂは、次いで、要求されたまたはアクティブであるデータタイプまたはサービスを識別し得、対応するリソースセットを識別し得る。ＵＥ１１５−ａおよびＵＥ１１５−ｂはまた、要求されなかったまたはサポートされないデータタイプまたはサービスと、対応するリソースセットとを識別し得る。ＵＥ１１５−ａおよびＵＥ１１５−ｂは、非アクティブデータタイプとサービスとに関連するリソースセット中にＵＥ１１５−ａおよびＵＥ１１５−ｂがスリープ状態にその間に入り得る、データサービスセット依存ＤＲＸ動作のためにこの情報を使用し得る。ＵＥ１１５−ａおよびＵＥ１１５−ｂは、さらに、アクティブデータタイプとサービスとに関連するリソースセット中にリソースセットをモニタするために、オン状態に遷移し得る。さらに、ＵＥ１１５−ａおよびＵＥ１１５−ｂは、識別されたリソースセットのためのＣＳＩを報告し得る。たとえば、ＵＥ１１５−ａは、第１のリソースセット中に獲得されたＣＳＩ測定値を、第１のリソースセットのためのＣＳＩ報告に関連付け得る。いくつかの場合には、ＵＥ１１５−ａは、ＣＳＩ報告のための第１のリソースセットに関連する前のおよび現在のＣＳＩ測定値を平均するかまたはさもなければ処理し得る。ＵＥ１１５−ａは、同様に、他の構成されたリソースセットのためのＣＳＩ測定値を決定し得る。
【００５３】
[0064]図３Ａおよび図３Ｂは、本開示の様々な態様による、ＬＴＥ−Ｕのためのサービス品質関係拡張のための送信スキームの例を示す。たとえば、図３Ａおよび３Ｂは、図１〜図２を参照しながら上記で説明されたように、共有スペクトル中のキャリア上のネイバリング基地局１０５による送信の態様を示し得る。図示された送信ストリーム３０５は、ＣＣＡ３１０と、データ送信３１５と、干渉送信３２０（たとえば、対応する基地局１０５が、それの間ビジーとしてキャリア媒体を検出する時間期間）とを示す。Ｗｉ−Ｆｉデバイスからの送信は、以下の説明ではＷｉ−Ｆｉ  Ｔｘ３２０と呼ばれることもある、干渉送信３２０の一例であり得る。
【００５４】
[0065]共有スペクトル上で動作するＣＣは、複数の基地局が同期された時間パーティションを使用し得るように時間領域中で区分され得る。いくつかの場合には、ＣＣは、所定の数のリソース（たとえば、８０個のサブフレーム、１００個のサブフレームなど）からなるリソースセグメントに分割され得る。リソースセグメントは、さらに、各々が少なくとも１つのデータタイプ（たとえば、ボイス）および／またはサービス（たとえば、ｅＭＢＭＳ）を含むデータサービスセットに対応し得る、リソースセット３２５−ａ〜３２５−ｃに分離され得る。リソースセット３２５に割り振られるリソースの数は、与えられたリソース割振りパターン３３０に基づき得る。基地局は、対応するリソースセット３２５中にＤＳＳに関連するデータを送信し得る。いくつかの場合には、ＤＳＳは、共通ＬＢＴパラメータに関連する複数のデータタイプおよび／またはサービスを含み得る。リソースは、各リソースセット３２５−ａ〜３２５−ｃが各基地局について共通の開始点および終了点を有し得るように、基地局のグループにわたって時間的にアラインされ得る。
【００５５】
[0066]リソースセット３２５はまた、ＨＡＲＱプロセスのあるタイプに関連し得る。いくつかの場合には、リソースセット３２５のために使用されるＨＡＲＱプロセスは、リソースセット３２５に関連するＤＳＳに基づく。一例として、基地局は、ＤＳＳ＿１に関連する第１のリソースセット３２５−ａ中に通信されるデータのために標準ＨＡＲＱプロセスを使用し、ＤＳＳ＿２に関連する第２のリソースセット３２５−ｂ中に通信されるデータのためにソフトＨＡＲＱプロセスを使用し得、ＤＳＳ＿Ｎに関連する第３のリソースセット３２５−ｃ中に通信されるデータのためにＨＡＲＱを非アクティブにし得る。追加または代替として、ＨＡＲＱ確認応答が、リソースセット３２５ごとにバンドルまたは多重化され得る。たとえば、ＵＥ１１５は、リソースセット３２５中に基地局１０５から受信されたすべての送信のための単一の制御メッセージを送信し得る。制御メッセージは、リソースセット３２５中のそれぞれの送信に対応する複数のＡＣＫ／ＮＡＣＫビット、または複数の送信のためのバンドルされた確認応答情報をもつ単一のＡＣＫ／ＮＡＣＫビットを含み得る。
【００５６】
[0067]各リソースセット３２５−ａ〜３２５−ｃはそれぞれのＤＳＳに関連するので、各基地局は、リソースセット３２５上の送信のために同様のＣＣＡプロシージャを実行し得る。したがって、各リソースセット３２５−ａ〜３２５−ｃの始まりにおいて、各基地局は、各他の基地局と同じ競合ウィンドウ、延期期間、競合ウィンドウ適応スキーム、またはエネルギー検出しきい値を用いてＣＣＡを実行し得る。チャネルがビジーであることを検出しなかった基地局は、ＤＳＳ中に含まれるデータの同期データ送信を始め得、チャネルがビジーであると識別した基地局は、チャネルがクリアになるまでＣＣＡプロシージャを実行し続け得、次いで、データ送信を始め得る。同じ競合ウィンドウおよび競合ウィンドウ適応スキームを利用する基地局は、同期的に後続のＣＣＡを実行し得、したがって、クリアなチャネルを識別した後に同期的に後続のデータを送信し得る。
【００５７】
[0068]図３Ａは、ある基地局からの送信が、別の基地局が、成功したＣＣＡを実行するのを妨げない基地局展開における送信スキーム３００−ａを示す。たとえば、第１の基地局と第２の基地局とは、一方の基地局からの送信が他方における成功したＣＣＡを防げないほど十分に遠くに離れていることがある。追加または代替として、基地局は、近くの基地局からの送信によって超えられないレベルにＣＣＡしきい値を設定し得る。
【００５８】
[0069]共有スペクトル中のコモンキャリア（たとえば、同じ周波数および時間リソースを使用するキャリア）を使用する複数の基地局は、コモンキャリアのうちの１つまたは複数のためのリソース割振りパターン３３０を受信し得る。基地局は、リソースセット３２５−ａがＤＳＳ＿１に関連することを識別し得、また、リソースセット３２５−ａに割り振られたリソースを識別し得る。基地局は、次いで、ＤＳＳ＿１中に含まれるデータも基地局における送信キュー中にあるかどうかを識別し得る。一例では、ＤＳＳ＿１に関連するデータが送信されるのを待っていることを識別した後に、送信ストリーム３０５−ａに関連する第１の基地局は、共有チャネルが占有されているかどうかを決定するために、リソースセット３２５−ａの始まりにおいてＣＣＡ３１０−ａを実行し得る。共有チャネルがクリアであることを識別した後に、第１の基地局は、ＤＳＳ＿１中に含まれるデータおよび／またはサービスを含み得るデータ送信３１５−ａを始め得る。
【００５９】
[0070]また、第２の基地局は、送信ストリーム３０５−ｂのためのリソース割振りパターン３３０を受信および識別し得る。第２の基地局は、さらに、ＤＳＳ＿１に含まれるデータが送信キュー中にあるかどうかを識別し得る。ＤＳＳ＿１のためのデータが送信キュー中にあることを識別した後に、第２の基地局は、リソースセット３２５−ａの始まりにおいてＣＣＡ３１０−ｄを実行し、チャネルがクリアであると識別した後にデータ送信３１５−ｄを始め得る。データ送信３１５−ａと３１５−ｄの両方が共通ＬＢＴパラメータに関連するので、およびリソースセット３２５−ａに割り振られたリソースが両方の基地局にわたって時間的にアラインされるので、ＣＣＡ３１０−ａおよび３１０−ｄも、同期され、同じ持続時間を有し得る。この例では、ＣＣＡ３１０−ａと３１０−ｄの両方は最初の試みでクリアし、データ送信３１５−ａおよび３１５−ｄも同期される。
【００６０】
[0071]後続のデータ送信３１５では、他のデバイスからの干渉が、リソースセット３２５−ｂについての同期された送信を妨げ得る。たとえば、Ｗｉ−Ｆｉ  Ｔｘ３２０−ａは、リソースセット３２５−ｂの始まりと重複し得、第１の基地局において干渉送信（ＣＣＡしきい値を上回る信号レベルを有する）として検出されるが、第２の基地局において干渉送信として検出されないことがある。したがって、ＣＣＡ３１０−ｂおよび３１０−ｅならびにデータ送信３１５−ｂおよび３１５−ｅは、異なる時間に行われ得る。後続のリソースセット３２５−ｃでは、基地局は、同期ＣＣＡ３１０−ｃおよび３１０−ｆならびにデータ送信３１５−ｃおよび３１５−ｆを再び実行し得る。この例では、いずれの基地局も、リソースセット３２５−ｃに割り振られたリソースのすべてを利用するとは限らず、残りのリソースは、Ｗｉ−Ｆｉ  Ｔｘ３２０−ｂおよび３２０−ｃのために使用される。
【００６１】
[0072]図３Ｂは、送信ストリーム３０５−ｂに関連する基地局からの送信が、送信ストリーム３０５−ａに関連する基地局における成功したＣＣＡを妨げ得る展開のための送信スキーム３００−ｂの別の例を示す。基地局は、同様に、ＣＣＡプロシージャを実行し、リソース割振りパターン３３０−ａに基づいて送信を実行し得る。リソースセット３２５−ｂ中に、送信ストリーム３０５−ｂに関連する基地局は、ＣＣＡ３１０−ｅを介してチャネルがクリアであると識別し、データ送信３１５−ｅを始め得、送信ストリーム３０５−ａに関連する第２の基地局は、Ｗｉ−Ｆｉ  Ｔｘ３２０−ａにより、リソースセット３２５−ｂの開始時にチャネルがクリアでないと決定し得る。第２の基地局は、データ送信３１５−ｅが終了するまでＣＣＡプロシージャを続け得、ＣＣＡ３１０−ｇ中にチャネルがクリアであると決定し、データ送信３１５−ｇを始め得る。いくつかの場合には、データ送信３１５−ｇは、図３Ａのデータ送信３１５−ｂに対して短縮され得る。たとえば、データ送信３１５−ｇは、第２のリソースセット３２５−ｂの終了時にまたはそれの前に終了するように構成され得る。
【００６２】
[0073]図３Ａおよび図３Ｂは基地局１０５からの送信ストリーム３０５を示すが、同様の技法がアップリンク送信のために使用され得る。たとえば、共有スペクトル中のアップリンクキャリアのためにリソース割振りパターンが定義され得るか、またはＴＤＤキャリアのためにリソース割振りパターンが定義され得る（たとえば、ＴＤＤキャリアのためのリソース割振りパターンは、ＵＥ開始型送信のためのリソースセット３２５を含み得る）。すなわち、ＤＳＳのためのサービスタイプはＵＥ開始型アップリンク送信を含み得る。したがって、ＵＥは、いくつかのリソースセットにおいて基地局許可によって割り振られたリソースを使用して送信し得、他のリソースセットは、リソースセットにおいてリソース許可を与えられないときでさえ、ＵＥが送信を開始することを可能にし得る。
【００６３】
[0074]いくつかの場合には、基地局のうちの１つまたは複数が、共有スペクトル中の第２のキャリアのための第２のリソース割振りパターンを識別し得る。第２のリソース割振りパターンは、第１のリソース割振りパターンとは異なってリソースセットを割り振り得る。たとえば、ＤＳＳは、第２のキャリア上のリソースの異なる量を割り振られ得るか、または異なるＤＳＳは、異なるキャリア上のリソースを割り振られ得る（たとえば、いくつかのＤＳＳは、２つのキャリアのうちの１つのみ上のリソースを割り振られ得、他のＤＳＳは、両方のキャリア上のリソースを割り振られる、などである）。
【００６４】
[0075]図４は、本開示の様々な態様による、ＬＴＥ−Ｕのためのサービス品質関係拡張をサポートするＣＳＩ報告スキーム４００の一例を示す。ＣＳＩ報告スキーム４００は、図１〜図３Ｂを参照しながら上記で説明されたように、ＵＥ１１５と基地局１０５との間の送信の態様を示し得る。基地局１０５は、ＵＥ１１５へのデータ送信３１５中にＣＳＩリソースを含め得、ＵＥ１１５は、受信されたＣＳＩリソースに基づいて、周期的にまたは非周期的にのいずれかで基地局１０５にＣＳＩを報告し得る。
【００６５】
[0076]一例では、ＵＥは、リソース割振りパターン３３０−ｂに基づいて、ＣＱＩ、ＰＭＩ、および／またはＲＩを含むＣＳＩ報告を基地局に報告する。基地局は、電力レベル、ＭＣＳなど、後続の送信のための送信パラメータを決定するためにＣＳＩ報告を使用し得る。いくつかの場合には、ＵＥは、各リソースセット３２５のための別個のＣＳＩ値をモニタおよび記憶し得る（たとえば、ＣＳＩ４０５−ａのための報告された値は、リソースセット３２５−ａ中にのみ受信されたＣＳＩリソースに基づき得、ＣＳＩ４０５−ｂのための報告された値は、リソースセット３２５−ｂ中に受信されたＣＳＩリソースに基づき得る、などである）。デバイスはまた、リソースセット３２５ごとに、測定されたＣＳＩ値を記憶し得、基地局に報告するためにいくつかのＣＳＩ値を平均化またはフィルタ処理し得る。周期報告中に、ＵＥは、スケジュールされた間隔において報告し得る。ＵＥは、スケジュールされた報告間隔が対応するのがどのリソースセット３２５かに基づいて、どのＣＳＩ値（たとえば、ＣＳＩ＿１、ＣＳＩ＿２、またはＣＳＩ＿Ｎ）を報告すべきかを決定し得る。たとえば、デバイスは、スケジュール間隔がリソースセット３２５−ａ（すなわち、リソースセット１）中に生じることを識別することに基づいて、ＣＳＩ４０５−ａ（すなわち、ＣＳＩ＿１）を送信し得る。同様に、デバイスは、報告間隔と対応する識別されたリソースセット３２５−ｂおよび３２５−ｃに基づいて、ＣＳＩ４０５−ｂと、ＣＳＩ４０５−ｃと、ＣＳＩ４０５−ｄとを送信し得る。ＣＳＩ４０５は、制御リソースを使用してＰＵＣＣＨ上で、またはアップリンク許可がスケジュールされた場合は物理アップリンク共有チャネルＰＵＳＣＨ上で報告され得る。ＬＡＡ送信の場合、ＵＥは、プライマリＣＣ上の制御リソースを使用してＣＳＩ４０５を送信し得る。ＬＴＥ−Ｕスタンドアロン送信の場合、ＵＥは、報告間隔中に行われる成功したＣＣＡを実行した後に、ＰＵＳＣＨリソース上でＣＳＩ４０５を送信し得る。
【００６６】
[0077]非周期報告中に、ＵＥは、基地局からＣＳＩ報告トリガ４１０を受信した後に、ＣＳＩを報告し得る。ＵＥは、どのリソースセット３２５がＣＳＩ報告トリガ４１０を含むかを識別することに基づいて、どのＣＳＩ値（たとえば、ＣＳＩ＿１、ＣＳＩ＿２、またはＣＳＩ＿Ｎ）を報告すべきかを決定し得る。たとえば、ＵＥは、ＣＳＩ報告トリガ４１０−ａがリソースセット３２５−ｂ（すなわち、リソースセット２）中に受信されたと決定し得、その後、ＣＳＩ４０５−ｅ（すなわち、ＣＳＩ＿２）を報告し得る。デバイスは、同様に、リソースセット３２５−ｃ（すなわち、リソースセットＮ）中にＣＳＩ報告トリガ４１０−ｂを受信したことに基づいて、ＣＳＩ４０５−ｆ（すなわち、ＣＳＩ＿Ｎ）を報告し得る。ＬＴＥ−Ｕスタンドアロン送信の場合、ＵＥは、成功したＣＣＡを実行した後に、ＰＵＳＣＨリソース上でＣＳＩ４０５を送信し得る。
【００６７】
[0078]図５は、本開示の様々な態様による、ＬＴＥ−Ｕのためのサービス品質関係拡張をサポートするＤＲＸモードによる動作の例示的なタイミング図５００を示す。タイミング図５００は、図１〜図３Ｂを参照しながら上記で説明されたように、ＵＥ１１５と基地局１０５との間の通信およびデバイス状態の態様を示し得る。ＤＲＸサイクル５０５が、リソース割振りパターン３３０−ｃに基づいて、ＵＥ１１５など、デバイスによって決定され得る。
【００６８】
[0079]一例では、ＵＥは、割り振られたリソースセット３２５と、対応するＤＳＳとを識別するために、リソース割振りパターン３３０−ｃを分析し得る。いくつかの場合には、リソース割振りパターン３３０−ｃは、基地局によってネットワーク上でブロードキャストされ、ＵＥにおいて受信され得る。他の場合には、リソース割振りパターン３３０−ｃは、基地局からのＲＲＣメッセージ中でＵＥに送信され得る。いずれのシナリオの下でも、ＵＥは、どのリソースセット３２５がどのＤＳＳに関連するかと、各リソースセット３２５に割り振られた時間リソースとを決定し得る。ＵＥはまた、アクティブでなく、および／またはＵＥによってサポートされないデータタイプまたはサービスに加えて、アクティブであり、および／またはＵＥにおいて予想されるデータタイプまたはサービスを識別し得る。いくつかの場合には、ＵＥは、ＵＥのために構成されたベアラに基づいて、アクティブデータタイプを識別する。各ベアラは、あるデータタイプ、ＱｏＳ、および／またはサービスタイプに関連し得る。ＵＥは、次いで、各識別されたデータタイプまたはサービスについて、識別されたサービスが属するＤＳＳおよびリソースセット３２５を決定し得る。ＵＥは、次いで、それぞれのリソースセットをモニタし得る。ＵＥは、同様に、非アクティブおよび／またはサポートされていないサービスに関連するＤＳＳと、対応するリソースセット３２５とを識別し得る。これらのリソースセット中に、ＵＥは、ＵＥが、その間にキャリアをモニタすることを控えること、受信機チェーンを無効にすること、処理需要を減少させることなどを行い得る、スリープ状態に入り得る。
【００６９】
[0080]たとえば、リソースセット３２５−ａ（すなわち、リソースセット１）は、ｅＭＢＭＳサービスを含む第１のＤＳＳに関連し得、リソースセット３２５−ｂ（すなわち、リソースセット２）は、ＱＣＩ＿１を含む第２のＤＳＳに関連し得、リソースセット３２５−ｃ（すなわち、リソースセットＮ）は、ＱＣＩ＿３を含む第３のＤＳＳに関連し得る。いくつかの例では、ＱＣＩ＿１はＶｏＩＰ発呼に関連し得、ＱＣＩ＿３はリアルタイムインタラクティブゲーミングに関連し得る。ＵＥは、ｅＭＢＭＳがＵＥにおいてサポートされる（たとえば、ＵＥが、ｅＭＢＭＳに関連するアクティブベアラを有する）こと、ＶｏＩＰ発呼が現在アクティブでないこと、およびオンラインゲーミングがアクティブでないことを識別し得る。ＵＥは、次いで、各ＤＳＳに関連するリソースセット３２５を識別し得、ｅＭＢＭＳサポートがアクティブであることを識別することに基づいて、第１のリソースセット３２５−ａをモニタし得、対応するＤＳＳに関連するデータが現在アクティブでないかまはたサポートされないと決定することに基づいて、リソースセット３２５−ｂおよび３２５−ｃについてスリープ状態に入り得る。
【００７０】
[0081]図６は、本開示の様々な態様による、ＬＴＥ−Ｕのためのサービス品質関係拡張のためのプロセスフロー６００の一例を示す。プロセスフロー６００は、図１〜図２を参照しながら上記で説明されたＵＥ１１５および基地局１０５の一例であり得る、ＵＥ１１５−ｃおよび基地局１０５−ｃによって実行され得る。いくつかの例では、基地局１０５−ｃおよびＵＥ１１５−ｃは、キャリアのリソースを、異なるデータサービスセットに関連するリソースセットにグループ化するリソース割振りパターンに従って、共有チャネル中で動作するキャリア上でデータを通信し得る。
【００７１】
[0082]６０５において、基地局１０５−ｃはＵＥ１１５−ｃとのＲＲＣ接続を確立する。ＬＡＡモードでなど、いくつかの場合には、ＲＲＣメッセージは、専用スペクトルを使用するＰＣＣを介して通信される。そうではなく、スタンドアロンモードでは、ＲＲＣメッセージは共有スペクトル上で通信される。ＲＲＣ接続を確立することは、デバイスが共有スペクトルを使用して動作することを可能にすることと、ＵＥ１１５−ｃにリソース割振りパターンを送ることとを含み得る。
【００７２】
[0083]６１０において、基地局１０５−ｃは、共有チャネルを使用するキャリアのためのリソース割振りパターンを識別し得る。リソース割振りパターンは、異なるデータサービスセットに関連し得る、いくつかのリソースセットに分割された周期セグメントにキャリアを区分し得る。リソース割振りパターンは、ネットワークにおける複数の基地局１０５に与えられ得、各基地局は、同様に、以下のプロセスのいずれかを実行し得る。ＵＥ１１５−ｃも、リソース割振りパターンを識別し得る。いくつかの場合には、基地局１０５−ｃは、ＲＲＣメッセージを介してＵＥ１１５−ｃにリソース割振りパターンを送信する。追加または代替として、基地局１０５−ｃは、送信範囲内にある、他の基地局、およびＵＥ１１５−ｃなどのＵＥに、ネットワークにわたるリソース割振りパターンをブロードキャストし得る。また、リソース割振りパターンをブロードキャストすることは、Ｘ２インターフェースを介して他の基地局にリソース割振りを送ることを含み得る。
【００７３】
[0084]６１５において、基地局１０５−ｃおよびＵＥ１１５−ｃは、リソース割振りパターンによって割り振られたリソースセットを識別し得る。リソースセットを識別することは、各リソースセットに割り振られた周期セグメント内のキャリアリソースを識別することを含み得る。たとえば、基地局１０５−ｃおよびＵＥ１１５−ｃは、８０個のサブフレームの各セットの最初の２０個のサブフレームが第１のリソースセットに割り振られたことを識別し得る。基地局１０５−ｃおよびＵＥ１１５−ｃは、最初の２０個のサブフレームが、ｅＭＢＭＳなど、サービスのためのデータを含むＤＳＳに関連することをさらに識別し得る。
【００７４】
[0085]６２０において、基地局１０５−ｃおよびＵＥ１１５−ｃは、関連するＤＳＳに基づいて、識別されたリソースセットのためのリソースセット（ＲＳ）送信パラメータを決定し得る。たとえば、リソースセットは、ＱｏＳレベルＱＣＩ＿１およびＱＣＩ＿２を含むＤＳＳに関連し得る。したがって、競合ウィンドウ、延期持続時間、競合ウィンドウ適応スキーム、またはエネルギー検出しきい値など、ＬＢＴパラメータが、リソースセット中の通信のためにある値に設定され得る。基地局１０５−ｃおよびＵＥ１１５−ｃは、同様に、関連するＤＳＳに基づいて各リソースセットのためのＬＢＴパラメータを決定し得る。いくつかの場合には、競合ウィンドウ適応スキームのためのＬＢＴパラメータは、ウィンドウステップ（たとえば、成功しなかったＣＣＡの数など）を適用するためのウィンドウステップファクタまたはトリガを含み得る。ＲＳ送信パラメータは、関連するリソースセットのためのデータ送信のためのＨＡＲＱプロセスのタイプを含み得る。
【００７５】
[0086]６２５において、基地局１０５−ｃは、それぞれのＤＳＳに関連する（１つまたは複数の）送信キュー中のデータを識別およびグループ化し得る。基地局１０５−ｃは、次いで、上記で識別されたリソースセットに基づいて、どのデータをどのリソースセット中に送信すべきかを決定し得る。たとえば、基地局１０５−ｃは、第１のリソースセット中で送信されるべきｅＭＢＭＳデータを識別し得る。
【００７６】
[0087]６３０において、第１のリソースセット上で送信するより前に、基地局１０５−ｃは、チャネルがクリアであるかどうかを決定するためにＣＣＡを実行し得る。ＣＣＡは、第１のリソースセットに対応するＤＳＳに関連するＬＢＴパラメータに基づいて実行され得る。リソース割振りパターンが複数の基地局にわたって与えられるので、およびキャリアの時間リソースが基地局にわたってアラインされるので、他の基地局は、基地局１０５−ｃと、同じＬＢＴパラメータを使用してＣＣＡを同期的に実行し得る。
【００７７】
[0088]６３５において、成功したＣＣＡを実行した後に、基地局１０５−ｃは、キャリア上でＵＥ１１５−ｃにリソースセットに関連するデータを送信し得る。リソース割振りパターンを使用してキャリア上の通信のために構成された別の基地局も、成功したＣＣＡを実行し、キャリア上で同時に送信し得る。基地局は、ネイバー基地局からの送信が基地局１０５−ｃからの送信に干渉しないように、またはＵＥ１１５−ｃが他の基地局からの送信のために干渉消去を適用することができるように配置され得る。いくつかの場合には、基地局は、基地局１０５−ｃと同じデータを送信し、ＵＥ１１５−ｃにおける送信のための信号対雑音比をブーストし得る。送信中に、ＵＥ１１５−ｃは、ＵＥ１１５−ｃにおいてアクティブであるかまたはサポートされるＤＳＳに基づいて、キャリアをモニタするためのまたはスリープ状態に入るための期間を決定するために、識別されたリソース割振りパターンを使用し得る。データの通信は、それぞれのリソースセットに関連するＤＳＳのために６２０において選択されたＨＡＲＱプロセスのタイプに従って実行され得る。
【００７８】
[0089]６４０において、ＵＥ１１５−ｃは、それぞれのＤＳＳに関連する（１つまたは複数の）送信キュー中のデータを識別およびグループ化し得る。ＵＥ１１５−ｃは、次いで、６１０において識別されたリソースセットに基づいて、どのデータをどのリソースセット中に送信すべきかを決定し得る。
【００７９】
[0090]６４５において、ＵＥ１１５−ｃは、チャネルがクリアであるかどうかを決定するためにＣＣＡを実行し得る。ＣＣＡは、現在のリソースセットに対応するＤＳＳに関連するＬＢＴパラメータに基づいて実行され得る。たとえば、ＵＥ１１５−ｃは、ＵＥ開始型アップリンク送信（たとえば、基地局による特定のリソース許可に応答して実行されないＵＥ送信）に関連するリソースセットを識別し得る。他の例では、ＵＥ１１５−ｃは、ＤＳＳに関連するリソースセット内のリソースの許可を識別し、ＤＳＳに関連するＬＢＴパラメータを使用し得る。
【００８０】
[0091]６５０において、成功したＣＣＡを実行した後に、ＵＥ１１５−ｃは、リソースセットによってサポートされるデータをキャリア上で基地局１０５−ｃに送信し得る。いくつかの場合には、ＵＥ１１５−ｃは、ダウンリンクにおいて使用されたものと同じキャリアを使用し、他の場合には、ＵＥ１１５−ｃは異なるキャリアを使用する。データの通信は、それぞれのリソースセットに関連するＤＳＳのために６２０において選択されたＨＡＲＱプロセスのタイプに従って実行され得る。
【００８１】
[0092]図７は、本開示の様々な態様による、ＬＴＥ−Ｕのためのサービス品質関係拡張のために構成されたワイヤレスデバイス７００のブロック図を示す。ワイヤレスデバイス７００は、図１〜図６を参照しながら説明された基地局１０５の態様の一例であり得る。ワイヤレスデバイス７００は、受信機７０５、基地局ＬＴＥ−Ｕリソース識別器７１０、または送信機７１５を含み得る。ワイヤレスデバイス７００はプロセッサをも含み得る。これらの構成要素の各々は互いと通信していることがある。
【００８２】
[0093]受信機７０５は、パケット、ユーザデータ、または様々な情報チャネルに関連する制御情報（たとえば、制御チャネル、データチャネル、およびＬＴＥ−Ｕのためのサービス品質関係拡張に関する情報など）などの情報を受信し得る。情報は、基地局ＬＴＥ−Ｕリソース識別器７１０に、およびワイヤレスデバイス７００の他の構成要素に受け渡され得る。
【００８３】
[0094]基地局ＬＴＥ−Ｕリソース識別器７１０は、複数の基地局のためのリソース割振りパターンを識別することと、ここで、リソース割振りパターンは、共有スペクトル中のキャリアの通信時間リソースを、異なるデータサービスセットに関連する複数のリソースセットにグループ化する、異なるデータサービスセットのうちの第１のデータサービスセットに関連する第１のリソースセットを識別することと、少なくとも１つのユーザ機器と、第１のリソースセット上で第１のデータサービスセットに関連する第１のデータトラフィックを通信することとを行い得る。基地局ＬＴＥ−Ｕリソース識別器７１０は複数のキャリアのための複数のリソース割振りパターンを識別し得、複数のデータサービスセットのためのリソースセットがキャリアにわたって協調され得る（たとえば、データサービスセットが複数のキャリアの各々上のリソースの異なる量を割り振られ得るか、または異なるデータサービスセットが異なるキャリア上のリソースを割り振られ得る、など）。
【００８４】
[0095]送信機７１５は、ワイヤレスデバイス７００の他の構成要素から受信された信号を送信し得る。いくつかの例では、送信機７１５は、トランシーバモジュールにおいて受信機７０５とコロケートされ得る。送信機７１５は、単一のアンテナを使用して動作するように構成され得るか、またはそれは、複数のアンテナを使用して動作するように構成され得る。いくつかの例では、送信機７１５は、成功したＣＣＡが実行されたと決定することに少なくとも部分的に基づいて、第１のリソースセットのリソースを使用してキャリア上で第１のデータトラフィックを送信し得る。いくつかの例では、送信機７１５は、無線アクセスネットワークの他の基地局にリソース割振りパターンをブロードキャストするために使用され得る。いくつかの例では、送信機７１５は、少なくとも１つのユーザ機器に、リソース割振りパターンを送信し得る。
【００８５】
[0096]図８は、本開示の様々な態様による、ＬＴＥ−Ｕのためのサービス品質関係拡張のためのワイヤレスデバイス８００のブロック図を示す。ワイヤレスデバイス８００は、図１〜図７を参照しながら説明されたワイヤレスデバイス７００または基地局１０５の態様の一例であり得る。ワイヤレスデバイス８００は、受信機７０５−ａ、基地局ＬＴＥ−Ｕリソース識別器７１０−ａ、または送信機７１５−ａを含み得る。ワイヤレスデバイス８００はプロセッサをも含み得る。これらの構成要素の各々は互いと通信していることがある。基地局ＬＴＥ−Ｕリソース識別器７１０−ａはまた、パターン識別器８０５と、リソースセット識別器８１０と、通信マネージャ８１５とを含み得る。
【００８６】
[0097]受信機７０５−ａは、基地局ＬＴＥ−Ｕリソース識別器７１０−ａに、およびワイヤレスデバイス８００の他の構成要素に受け渡され得る情報を受信し得る。基地局ＬＴＥ−Ｕリソース識別器７１０−ａは、図７を参照しながら説明された動作を実行し得る。送信機７１５−ａは、ワイヤレスデバイス８００の他の構成要素から受信された信号を送信し得る。
【００８７】
[0098]パターン識別器８０５は、図２〜図６を参照しながら説明されたように、複数の基地局のためのリソース割振りパターンを識別し得、ここにおいて、リソース割振りパターンは、共有スペクトル中のキャリアの通信時間リソースを、異なるデータサービスセットに関連する複数のリソースセットにグループ化する。いくつかの例では、リソース割振りパターンを識別することは、複数の基地局に関連するネットワークデバイスからリソース割振りパターンを受信することを備える。いくつかの例では、通信時間リソースは、フレーム、サブフレーム、またはシンボル期間のいずれかである。いくつかの例では、通信時間リソースは、複数の基地局について同期される。
【００８８】
[0099]リソースセット識別器８１０は、図２〜図６を参照しながら説明されたように、異なるデータサービスセットのうちの第１のデータサービスセットに関連する第１のリソースセットを識別し得る。いくつかの例では、各リソースセットは、複数の連続通信時間リソースを備える。いくつかの例では、異なるデータサービスセットの各々は、１つまたは複数のＱｏＳ識別子、１つまたは複数のサービスタイプ識別子（たとえば、ｅＭＢＭＳ、ＭＴＣサービス、ＵＥ開始型アップリンク送信など）、またはそれらの組合せのいずれかに関連し得る。
【００８９】
[0100]通信マネージャ８１５は、図２〜図６を参照しながら説明されたように、少なくとも１つのユーザ機器と、第１のリソースセット上で第１のデータサービスセットに関連する第１のデータトラフィックを通信し得る。いくつかの例では、通信することは、第１のデータサービスに少なくとも部分的に基づいてＬＢＴパラメータを決定することと、ＬＢＴパラメータに少なくとも部分的に基づいてキャリア上でＣＣＡを実行することとを備える。いくつかの例では、ＬＢＴパラメータは、競合ウィンドウサイズ、延期期間、競合ウィンドウ適応スキーム、エネルギー検出しきい値、またはそれらの任意の組合せのいずれかを備える。第１のデータトラフィックの通信は、第１のデータサービスセットに関連するＨＡＲＱのタイプに従って実行され得る。
【００９０】
[0101]図９は、本開示の様々な態様による、ＬＴＥ−Ｕのためのサービス品質関係拡張のために構成された基地局１０５−ｄを含むシステム９００の図を示す。システム９００は、図１、図２および図６〜図９を参照しながら説明されたワイヤレスデバイス７００、ワイヤレスデバイス８００、または基地局１０５の一例であり得る、基地局１０５−ｄを含み得る。基地局１０５−ｄは、図７〜図９を参照しながら説明された基地局ＬＴＥ−Ｕリソース識別器７１０の一例であり得る、基地局ＬＴＥ−Ｕリソース識別器９１０を含み得る。基地局１０５−ｄは、通信を送信するための構成要素と通信を受信するための構成要素とを含む、双方向音声およびデータ通信のための構成要素をも含み得る。たとえば、基地局１０５−ｄは、ＵＥ１１５−ｄまたはＵＥ１１５−ｅと双方向に通信し得る。
【００９１】
[0102]いくつかの場合には、基地局１０５−ｄは１つまたは複数のワイヤードバックホールリンクを有し得る。基地局１０５−ｄは、コアネットワーク１３０へのワイヤードバックホールリンク（たとえば、Ｓ１インターフェースなど）を有し得る。基地局１０５−ｄはまた、基地局間バックホールリンク（たとえば、Ｘ２インターフェース）を介して、基地局１０５−ｅおよび基地局１０５−ｆなど、他の基地局１０５と通信し得る。基地局１０５の各々は、同じまたは異なるワイヤレス通信技術を使用してＵＥ１１５と通信し得る。いくつかの場合には、基地局１０５−ｄは、基地局通信マネージャ９２５を利用して１０５−ｅまたは１０５−ｆなどの他の基地局と通信し得る。いくつかの例では、基地局通信マネージャ９２５は、基地局１０５のうちのいくつかの間の通信を行うために、ＬＴＥ／ＬＴＥ−Ａワイヤレス通信ネットワーク技術内のＸ２インターフェースを与え得る。いくつかの例では、基地局１０５−ｄは、コアネットワーク１３０を通じて他の基地局と通信し得る。いくつかの場合には、基地局１０５−ｄは、ネットワーク通信マネージャ９３０を通じてコアネットワーク１３０と通信し得る。
【００９２】
[0103]基地局１０５−ｄは、プロセッサ９０５と、（ソフトウェア（ＳＷ）９２０を含む）メモリ９１５と、トランシーバ９３５と、（１つまたは複数の）アンテナ９４０とを含み得、それらの各々は、（たとえば、バスシステム９４５上で）互いと直接または間接的に通信していることがある。トランシーバ９３５は、（１つまたは複数の）アンテナ９４０を介して、マルチモードデバイスであり得るＵＥ１１５と双方向に通信するように構成され得る。トランシーバ９３５（または基地局１０５−ｄの他の構成要素）はまた、アンテナ９４０を介して、１つまたは複数の他の基地局（図示せず）と双方向に通信するように構成され得る。トランシーバ９３５は、パケットを変調し、変調されたパケットを送信のためにアンテナ９４０に与え、アンテナ９４０から受信されたパケットを復調するように構成されたモデムを含み得る。基地局１０５−ｄは、各々が１つまたは複数の関連するアンテナ９４０をもつ、複数のトランシーバ９３５を含み得る。トランシーバは、図７の組み合わせられた受信機７０５および送信機７１５の一例であり得る。
【００９３】
[0104]メモリ９１５はＲＡＭおよびＲＯＭを含み得る。メモリ９１５はまた、実行されたとき、プロセッサ９０５に本明細書で説明される様々な機能（たとえば、ＬＴＥ−Ｕのためのサービス品質関係拡張など）を実行させるように構成された命令を含んでいるコンピュータ可読、コンピュータ実行可能ソフトウェアコード９２０を記憶し得る。代替的に、ソフトウェア９２０は、プロセッサ９０５によって直接的に実行可能でないことがあるが、たとえば、コンパイルされ実行されたとき、コンピュータに本明細書で説明される機能を実行させるように構成され得る。プロセッサ９０５は、インテリジェントハードウェアデバイス、たとえば、ＣＰＵ、マイクロコントローラ、ＡＳＩＣなどを含み得る。プロセッサ９０５は、エンコーダ、キュー処理モジュール、ベースバンドプロセッサ、無線ヘッドコントローラ、デジタル信号プロセッサ（ＤＳＰ）など、様々な専用プロセッサを含み得る。
【００９４】
[0105]基地局通信マネージャ９２５は、他の基地局１０５との通信を管理し得る。いくつかの場合には、基地局通信マネージャ９２５は、他の基地局１０５と協働してＵＥ１１５との通信を制御するためのコントローラまたはスケジューラを含み得る。たとえば、基地局通信マネージャ９２５は、ビームフォーミングまたはジョイント送信などの様々な干渉緩和技法のためのＵＥ１１５への送信のためのスケジューリングを協調させ得る。
【００９５】
[0106]ワイヤレスデバイス７００、ワイヤレスデバイス８００、および基地局ＬＴＥ−Ｕリソース識別器７１０−ｂの構成要素は、適用可能な機能の一部または全部をハードウェアで実行するように適応された少なくとも１つのＡＳＩＣを用いて、個々にまたはまとめて実装され得る。代替的に、それらの機能は、１つまたは複数の他の処理ユニット（またはコア）によって、少なくとも１つのＩＣ上で実行され得る。他の例では、当技術分野で知られている任意の様式でプログラムされ得る、他のタイプの集積回路（たとえば、ストラクチャード／プラットフォームＡＳＩＣ、フィールドプログラマブルゲートアレイ（ＦＰＧＡ）、または別のセミカスタムＩＣ）が使用され得る。各ユニットの機能はまた、全体的または部分的に、１つまたは複数の汎用または特定用途向けプロセッサによって実行されるようにフォーマットされた、メモリに組み込まれた命令を用いて実装され得る。
【００９６】
[0107]図１０は、本開示の様々な態様による、ＬＴＥ−Ｕのためのサービス品質関係拡張のために構成されたワイヤレスデバイス１０００のブロック図を示す。ワイヤレスデバイス１０００は、図１〜図１０を参照しながら説明されたＵＥ１１５の態様の一例であり得る。ワイヤレスデバイス１０００は、受信機１００５、ＬＴＥ−Ｕリソース識別器１０１０、または送信機１０１５を含み得る。ワイヤレスデバイス１０００はプロセッサをも含み得る。これらの構成要素の各々は互いと通信していることがある。
【００９７】
[0108]受信機１００５は、パケット、ユーザデータ、または様々な情報チャネルに関連する制御情報（たとえば、制御チャネル、データチャネル、およびＬＴＥ−Ｕのためのサービス品質関係拡張に関する情報など）などの情報を受信し得る。情報は、ＬＴＥ−Ｕリソース識別器１０１０に、およびワイヤレスデバイス１０００の他の構成要素に受け渡され得る。
【００９８】
[0109]ＬＴＥ−Ｕリソース識別器１０１０は、共有スペクトル中のキャリアのためのリソース割振りパターンを識別することと、ここにおいて、リソース割振りパターンは、キャリアの通信時間リソースを、異なるデータサービスに関連する複数のリソースセットにグループ化する、異なるデータサービスのうちの第１のデータサービスに関連する第１のリソースセットを識別することと、キャリアに関連する基地局と、第１のリソースセット上で第１のデータサービスに関連する第１のデータトラフィックを通信することとを行い得る。
【００９９】
[0110]送信機１０１５は、ワイヤレスデバイス１０００の他の構成要素から受信された信号を送信し得る。いくつかの例では、送信機１０１５は、トランシーバモジュールにおいて受信機１００５とコロケートされ得る。送信機１０１５は単一のアンテナを含み得るか、またはそれは複数のアンテナを含み得る。
【０１００】
[0111]図１１は、本開示の様々な態様による、ＬＴＥ−Ｕのためのサービス品質関係拡張のためのワイヤレスデバイス１１００のブロック図を示す。ワイヤレスデバイス１１００は、図１〜図１１を参照しながら説明されたワイヤレスデバイス１０００またはＵＥ１１５の態様の一例であり得る。ワイヤレスデバイス１１００は、受信機１００５−ａ、ＬＴＥ−Ｕリソース識別器１０１０−ａ、または送信機１０１５−ａを含み得る。ワイヤレスデバイス１１００はプロセッサをも含み得る。これらの構成要素の各々は互いと通信していることがある。ＬＴＥ−Ｕリソース識別器１０１０−ａはまた、パターン識別器１１０５と、リソースセット識別器１１１０と、通信マネージャ１１１５とを含み得る。
【０１０１】
[0112]受信機１００５−ａは、ＬＴＥ−Ｕリソース識別器１０１０−ａに、およびワイヤレスデバイス１１００の他の構成要素に受け渡され得る情報を受信し得る。ＬＴＥ−Ｕリソース識別器１０１０−ａは、図１０を参照しながら説明された動作を実行し得る。送信機１０１５−ａは、ワイヤレスデバイス１１００の他の構成要素から受信された信号を送信し得る。
【０１０２】
[0113]パターン識別器１１０５は、共有スペクトル中のキャリアのためのリソース割振りパターンを識別し得、ここにおいて、リソース割振りパターンは、キャリアの通信時間リソースを、異なるデータサービスに関連する複数のリソースセットにグループ化する。
【０１０３】
[0114]リソースセット識別器１１１０は、異なるデータサービスのうちの第１のデータサービスに関連する第１のリソースセットを識別し得る。いくつかの例では、第１のデータサービスを識別することは、第１のデータサービスに関連するアクティブベアラを識別すること、第１のデータサービスに関連するアクティブサービスを識別すること、またはそれらの組合せのいずれかを備える。
【０１０４】
[0115]通信マネージャ１１１５は、キャリアに関連する基地局と、第１のリソースセット上で第１のデータサービスに関連する第１のデータトラフィックを通信し得る。第１のデータトラフィックの通信は、第１のデータサービスセットに関連するＨＡＲＱのタイプに従って実行され得る。
【０１０５】
[0116]図１２は、本開示の様々な態様による、ＬＴＥ−Ｕのためのサービス品質関係拡張のためのワイヤレスデバイス１０００またはワイヤレスデバイス１１００の構成要素であり得るＬＴＥ−Ｕリソース識別器１０１０−ｂのブロック図１２００を示す。ＬＴＥ−Ｕリソース識別器１０１０−ｂは、図１０〜図１１を参照しながら説明されたＬＴＥ−Ｕリソース識別器１０１０の態様の一例であり得る。ＬＴＥ−Ｕリソース識別器１０１０−ｂは、パターン識別器１１０５−ａと、リソースセット識別器１１１０−ａと、通信マネージャ１１１５−ａとを含み得る。これらのモジュールの各々は、図１１を参照しながら説明された機能を実行し得る。ＬＴＥ−Ｕリソース識別器１０１０−ｂはまた、チャネルモニタ１２０５と、ＤＲＸマネージャ１２１０と、ＣＳＩレポータ１２１５とを含み得る。
【０１０６】
[0117]チャネルモニタ１２０５は、図２〜図６を参照しながら説明されたように、通信することが、第１のデータトラフィックについて第１のリソースセット中にキャリアに関連するチャネルをモニタすることを含み得るように構成され得る。
【０１０７】
[0118]ＤＲＸマネージャ１２１０は、図２〜図６を参照しながら説明されたように、複数のリソースセットのうちの１つまたは複数のリソースセット中にスリープ状態に入ることを含む、リソース割振りパターンに従うＤＲＸ動作を管理し得る。いくつかの例では、スリープ状態に入ることは、複数のリソースセットのうちの１つまたは複数のリソースセット中に受信機を無効にすることを備える。
【０１０８】
[0119]ＣＳＩレポータ１２１５は、図２〜図６を参照しながら説明されたように、複数のリソースセットのうちのそれぞれのリソースセットのためのＣＳＩ（たとえば、ＣＱＩ、ＰＭＩ、ＲＩなど）を報告し得、ここにおいて、報告されたＣＳＩは、それぞれのリソースセットに関連するＣＳＩリソースに少なくとも部分的に基づく。
【０１０９】
[0120]図１３は、本開示の様々な態様による、ＬＴＥ−Ｕのためのサービス品質関係拡張のために構成されたＵＥ１１５−ｆを含むシステム１３００の図を示す。システム１３００は、図１、図２、図６、図１０および図１１を参照しながら説明されたワイヤレスデバイス１０００、ワイヤレスデバイス１１００、またはＵＥ１１５の一例であり得る、ＵＥ１１５−ｆを含み得る。ＵＥ１１５−ｆは、図１０〜図１２を参照しながら説明されたＬＴＥ−Ｕリソース識別器１０１０の一例であり得る、ＬＴＥ−Ｕリソース識別器１３１０を含み得る。ＵＥ１１５−ｆは、通信を送信するための構成要素と通信を受信するための構成要素とを含む、双方向音声およびデータ通信のための構成要素をも含み得る。たとえば、ＵＥ１１５−ｆは、ＵＥ１１５−ｇまたは基地局１０５−ｇと双方向に通信し得る。
【０１１０】
[0121]ＵＥ１１５−ｆはまた、プロセッサ１３０５と、（ソフトウェア（ＳＷ）１３２０を含む）メモリ１３１５と、トランシーバ１３３５と、１つまたは複数のアンテナ１３４０とを含み得、それらの各々は、（たとえば、バス１３４５を介して）互いと直接または間接的に通信し得る。トランシーバ１３３５は、上記で説明されたように、（１つまたは複数の）アンテナ１３４０あるいはワイヤードリンクまたはワイヤレスリンクを介して、１つまたは複数のネットワークと双方向に通信し得る。たとえば、トランシーバ１３３５は、基地局１０５または別のＵＥ１１５と双方向に通信し得る。トランシーバ１３３５は、パケットを変調し、変調されたパケットを送信のために（１つまたは複数の）アンテナ１３４０に与え、（１つまたは複数の）アンテナ１３４０から受信されたパケットを復調するためのモデムを含み得る。ＵＥ１１５−ｆは単一のアンテナ１３４０を含み得るが、ＵＥ１１５−ｆはまた、複数のワイヤレス送信をコンカレントに送信または受信することが可能な複数のアンテナ１３４０を有し得る。
【０１１１】
[0122]メモリ１３１５は、ランダムアクセスメモリ（ＲＡＭ）および読取り専用メモリ（ＲＯＭ）を含み得る。メモリ１３１５は、実行されたとき、プロセッサ１３０５に本明細書で説明される様々な機能（たとえば、ＬＴＥ−Ｕのためのサービス品質関係拡張など）を実行させる命令を含むコンピュータ可読、コンピュータ実行可能ソフトウェア／ファームウェアコード１３２０を記憶し得る。代替的に、ソフトウェア／ファームウェアコード１３２０は、プロセッサ１３０５によって直接的に実行可能でないことがあるが、（たとえば、コンパイルされ、実行されたとき）コンピュータに本明細書で説明される機能を実行させ得る。プロセッサ１３０５は、インテリジェントハードウェアデバイス、（たとえば、中央処理ユニット（ＣＰＵ）、マイクロコントローラ、特定用途向け集積回路（ＡＳＩＣ）など）を含み得る。
【０１１２】
[0123]ＬＴＥ−Ｕリソース識別器１０１０を含むワイヤレスデバイス１０００または１１００の構成要素は、適用可能な機能の一部または全部をハードウェアで実行するように適応された少なくとも１つのＡＳＩＣを用いて、個々にまたはまとめて実装され得る。代替的に、それらの機能は、１つまたは複数の他の処理ユニット（またはコア）によって、少なくとも１つのＩＣ上で実行され得る。他の例では、当技術分野で知られている任意の様式でプログラムされ得る、他のタイプの集積回路（たとえば、ストラクチャード／プラットフォームＡＳＩＣ、フィールドプログラマブルゲートアレイ（ＦＰＧＡ）、または別のセミカスタムＩＣ）が使用され得る。各ユニットの機能はまた、全体的または部分的に、１つまたは複数の汎用または特定用途向けプロセッサによって実行されるようにフォーマットされた、メモリに組み込まれた命令を用いて実装され得る。
【０１１３】
[0124]図１４は、本開示の様々な態様による、ＬＴＥ−Ｕのためのサービス品質関係拡張のための方法１４００を示すフローチャートを示す。方法１４００の動作は、図１〜図１０を参照しながら説明されたように、基地局１０５またはそれの構成要素によって実装され得る。たとえば、方法１４００の動作は、図７〜図１０を参照しながら説明されたように、基地局ＬＴＥ−Ｕリソース識別器７１０によって実行され得る。いくつかの例では、プロセッサは、以下で説明される機能を実行するように基地局１０５の機能要素を制御するためのコードのセットを実行し得る。追加または代替として、基地局１０５は、専用ハードウェアを使用して、以下で説明される機能態様を実行し得る。
【０１１４】
[0125]ブロック１４０５において、基地局１０５は、図２〜図６を参照しながら説明されたように、複数の基地局のためのリソース割振りパターンを識別し、ここにおいて、リソース割振りパターンは、共有スペクトル中のキャリアの通信時間リソースを、異なるデータサービスセットに関連する複数のリソースセットにグループ化する。いくつかの例では、ブロック１４０５の動作は、図８を参照しながら説明されたように、パターン識別器８０５によって実行され得る。
【０１１５】
[0126]ブロック１４１０において、基地局１０５は、図２〜図６を参照しながら説明されたように、異なるデータサービスセットのうちの第１のデータサービスセットに関連する第１のリソースセットを識別する。いくつかの例では、ブロック１４１０の動作は、図８を参照しながら説明されたように、リソースセット識別器８１０によって実行され得る。
【０１１６】
[0127]ブロック１４１５において、基地局１０５は、図２〜図６を参照しながら説明されたように、少なくとも１つのユーザ機器と、第１のリソースセット上で第１のデータサービスセットに関連する第１のデータトラフィックを通信する。いくつかの例では、ブロック１４１５の動作は、図８を参照しながら説明されたように、通信マネージャ８１５によって実行され得る。
【０１１７】
[0128]図１５は、本開示の様々な態様による、ＬＴＥ−Ｕのためのサービス品質関係拡張のための方法１５００を示すフローチャートを示す。方法１５００の動作は、図１〜図１０を参照しながら説明されたように、基地局１０５またはそれの構成要素によって実装され得る。たとえば、方法１５００の動作は、図７〜図１０を参照しながら説明されたように、基地局ＬＴＥ−Ｕリソース識別器７１０によって実行され得る。いくつかの例では、プロセッサは、以下で説明される機能を実行するように基地局１０５の機能要素を制御するためのコードのセットを実行し得る。追加または代替として、基地局１０５は、専用ハードウェアを使用して、以下で説明される機能態様を実行し得る。方法１５００はまた、図１４の方法１４００の態様を組み込み得る。
【０１１８】
[0129]ブロック１５０５において、基地局１０５は、図２〜図６を参照しながら説明されたように、複数の基地局のためのリソース割振りパターンを識別し、ここで、共有スペクトル中のキャリアに関連する通信時間リソースが、リソース割振りパターンによって、異なるデータサービスセットに関連する複数のリソースセットにグループ化される。いくつかの例では、ブロック１５０５の動作は、図８を参照しながら説明されたように、パターン識別器８０５によって実行され得る。
【０１１９】
[0130]ブロック１５１０において、基地局１０５は、図２〜図６を参照しながら説明されたように、異なるデータサービスセットのうちの第１のデータサービスセットに関連する第１のリソースセットを識別する。いくつかの例では、ブロック１５１０の動作は、図８を参照しながら説明されたように、リソースセット識別器８１０によって実行され得る。
【０１２０】
[0131]ブロック１５１５において、基地局１０５は、図２〜図６を参照しながら説明されたように、第１のデータサービスに少なくとも部分的に基づいてＬＢＴパラメータを決定する。いくつかの例では、ブロック１５１５の動作は、図８を参照しながら説明されたように、通信マネージャ８１５によって実行され得る。
【０１２１】
[0132]ブロック１５２０において、基地局１０５は、図２〜図６を参照しながら説明されたように、ＬＢＴパラメータに少なくとも部分的に基づいてキャリア上でＣＣＡを実行する。いくつかの例では、ブロック１５２０の動作は、図８を参照しながら説明されたように、通信マネージャ８１５によって実行され得る。
【０１２２】
[0133]ブロック１５２５において、基地局１０５は、図２〜図６を参照しながら説明されたように、成功したＣＣＡが実行されたと決定することに少なくとも部分的に基づいて、第１のリソースセット上で第１のデータトラフィックを送信する。いくつかの例では、ブロック１５２５の動作は、図７を参照しながら説明されたように、送信機７１５によって実行され得る。
【０１２３】
[0134]図１６は、本開示の様々な態様による、ＬＴＥ−Ｕのためのサービス品質関係拡張のための方法１６００を示すフローチャートを示す。方法１６００の動作は、図１〜図６および図１１〜図１４を参照しながら説明されたように、ＵＥ１１５またはそれの構成要素によって実装され得る。たとえば、方法１６００の動作は、図１１〜図１４を参照しながら説明されたように、ＬＴＥ−Ｕリソース識別器１０１０によって実行され得る。いくつかの例では、プロセッサは、以下で説明される機能を実行するようにＵＥ１１５の機能要素を制御するためのコードのセットを実行し得る。追加または代替として、ＵＥ１１５は、専用ハードウェアを使用して、以下で説明される機能態様を実行し得る。
【０１２４】
[0135]ブロック１６０５において、ＵＥ１１５は、図２〜図６を参照しながら説明されたように、共有スペクトル中のキャリアのためのリソース割振りパターンを識別し、ここで、キャリアに関連する通信時間リソースは、リソース割振りパターンによって、異なるデータサービスに関連する複数のリソースセットにグループ化される。いくつかの例では、ブロック１６０５の動作は、図１１を参照しながら説明されたように、パターン識別器１１０５によって実行され得る。
【０１２５】
[0136]ブロック１６１０において、ＵＥ１１５は、図２〜図６を参照しながら説明されたように、異なるデータサービスのうちの第１のデータサービスに関連する第１のリソースセットを識別する。いくつかの例では、ブロック１６１０の動作は、図１１を参照しながら説明されたように、リソースセット識別器１１１０によって実行され得る。
【０１２６】
[0137]ブロック１６１５において、ＵＥ１１５は、図２〜図６を参照しながら説明されたように、キャリアに関連する基地局と、第１のリソースセット上で第１のデータサービスに関連する第１のデータトラフィックを通信する。通信することは、第１のデータトラフィックを受信することまたは第１のデータトラフィックを送信することを含み得る。いくつかの例では、第１のリソースセットはＵＥ開始型送信に関連し得る。他の例では、ＵＥはリソースセットのリソースの許可に従って送信し得る。いくつかの例では、ブロック１６１５の動作は、図１１を参照しながら説明されたように、通信マネージャ１１１５によって実行され得る。
【０１２７】
[0138]図１７は、本開示の様々な態様による、ＬＴＥ−Ｕのためのサービス品質関係拡張のための方法１７００を示すフローチャートを示す。方法１７００の動作は、図１〜図６および図１１〜図１４を参照しながら説明されたように、ＵＥ１１５またはそれの構成要素によって実装され得る。たとえば、方法１７００の動作は、図１１〜図１４を参照しながら説明されたように、ＬＴＥ−Ｕリソース識別器１０１０によって実行され得る。いくつかの例では、プロセッサは、以下で説明される機能を実行するようにＵＥ１１５の機能要素を制御するためのコードのセットを実行し得る。追加または代替として、ＵＥ１１５は、専用ハードウェアを使用して、以下で説明される機能態様を実行し得る。方法１７００はまた、図１６の方法１６００の態様を組み込み得る。
【０１２８】
[0139]ブロック１７０５において、ＵＥ１１５は、図２〜図６を参照しながら説明されたように、共有スペクトル中のキャリアのためのリソース割振りパターンを識別し、ここにおいて、リソース割振りパターンは、キャリアの通信時間リソースを、異なるデータサービスに関連する複数のリソースセットにグループ化する。いくつかの例では、ブロック１７０５の動作は、図１１を参照しながら説明されたように、パターン識別器１１０５によって実行され得る。
【０１２９】
[0140]ブロック１７１０において、ＵＥ１１５は、図２〜図６を参照しながら説明されたように、異なるデータサービスのうちの第１のデータサービスに関連する第１のリソースセットを識別する。いくつかの例では、ブロック１７１０の動作は、図１１を参照しながら説明されたように、リソースセット識別器１１１０によって実行され得る。
【０１３０】
[0141]ブロック１７１５において、ＵＥ１１５は、図２〜図６を参照しながら説明されたように、第１のデータトラフィックセットについて第１のリソースセット中にキャリアに関連するチャネルをモニタする。いくつかの例では、ブロック１７１５の動作は、図１２を参照しながら説明されたように、チャネルモニタ１２０５によって実行され得る。
【０１３１】
[0142]ブロック１７２０において、ＵＥ１１５は、図２〜図６を参照しながら説明されたように、複数のリソースセットのうちの１つまたは複数のリソースセット中にスリープ状態に入る。いくつかの例では、ブロック１７２０の動作は、図１２を参照しながら説明されたように、ＤＲＸモジュール１２１０によって実行され得る。
【０１３２】
[0143]図１８は、本開示の様々な態様による、ＬＴＥ−Ｕのためのサービス品質関係拡張のための方法１８００を示すフローチャートを示す。方法１８００の動作は、図１〜図６および図１１〜図１４を参照しながら説明されたように、ＵＥ１１５またはそれの構成要素によって実装され得る。たとえば、方法１８００の動作は、図１１〜図１４を参照しながら説明されたように、ＬＴＥ−Ｕリソース識別器１０１０によって実行され得る。いくつかの例では、プロセッサは、以下で説明される機能を実行するようにＵＥ１１５の機能要素を制御するためのコードのセットを実行し得る。追加または代替として、ＵＥ１１５は、専用ハードウェアを使用して、以下で説明される機能態様を実行し得る。方法１８００はまた、図１６または図１７の方法１６００または１７００の態様を組み込み得る。
【０１３３】
[0144]ブロック１８０５において、ＵＥ１１５は、図２〜図６を参照しながら説明されたように、共有スペクトル中のキャリアのためのリソース割振りパターンを識別し、ここにおいて、リソース割振りパターンは、キャリアの通信時間リソースを、異なるデータサービスに関連する複数のリソースセットにグループ化する。いくつかの例では、ブロック１８０５の動作は、図１１を参照しながら説明されたように、パターン識別器１１０５によって実行され得る。
【０１３４】
[0145]ブロック１８１０において、ＵＥ１１５は、図２〜図６を参照しながら説明されたように、異なるデータサービスのうちの第１のデータサービスに関連する第１のリソースセットを識別する。いくつかの例では、ブロック１８１０の動作は、図１１を参照しながら説明されたように、リソースセット識別器１１１０によって実行され得る。
【０１３５】
[0146]ブロック１８１５において、ＵＥ１１５は、図２〜図６を参照しながら説明されたように、複数のリソースセットのうちのそれぞれのリソースセットのためのＣＳＩを報告し、ここにおいて、報告されたＣＳＩは、それぞれのリソースセットに関連するＣＳＩリソースに少なくとも部分的に基づく。いくつかの例では、ブロック１８１５の動作は、図１２を参照しながら説明されたように、ＣＳＩレポータ１２１５によって実行され得る。
【０１３６】
[0147]したがって、方法１４００、１５００、１６００、１７００、および１８００は、ＬＴＥ−Ｕのためのサービス品質関係拡張を与え得る。方法１４００、１５００、１６００、１７００、および１８００は可能な実装形態を表すこと、ならびに動作およびステップは、他の実装形態が可能であるように、並べ替えられるかまたは場合によっては変更され得ることに留意されたい。いくつかの例では、方法１４００、１５００、１６００、１７００、および１８００のうちの２つまたはそれ以上からの態様が組み合わせられ得る。
【０１３７】
[0148]本明細書の説明は、例を与えるものであり、特許請求の範囲に記載される範囲、適用可能性、または例を限定するものではない。本開示の範囲から逸脱することなく、説明される要素の機能および構成において変更が行われ得る。様々な例は、適宜に様々なプロシージャまたは構成要素を省略、置換、または追加し得る。また、いくつかの例に関して説明される特徴は、他の例において組み合わせられ得る。
【０１３８】
[0149]本明細書で説明される技法は、符号分割多元接続（ＣＤＭＡ）、時分割多元接続（ＴＤＭＡ）、周波数分割多元接続（ＦＤＭＡ）、直交周波数分割多元接続（ＯＦＤＭＡ）、シングルキャリア周波数分割多元接続（ＳＣ−ＦＤＭＡ）、および他のシステムなど、様々なワイヤレス通信システムのために使用され得る。「システム」および「ネットワーク」という用語はしばしば互換的に使用される。符号分割多元接続（ＣＤＭＡ）システムは、ＣＤＭＡ２０００、ユニバーサル地上波無線アクセス（ＵＴＲＡ）などの無線技術を実装し得る。ＣＤＭＡ２０００は、ＩＳ−２０００、ＩＳ−９５、およびＩＳ−８５６規格をカバーする。ＩＳ−２０００リリース０およびＡは、一般に、ＣＤＭＡ２０００  １Ｘ、１Ｘなどと呼ばれる。ＩＳ−８５６（ＴＩＡ−８５６）は、一般に、ＣＤＭＡ２０００  １ｘＥＶ−ＤＯ、高速パケットデータ（ＨＲＰＤ：High Rate Packet Data）などと呼ばれる。ＵＴＲＡは、広帯域ＣＤＭＡ（ＷＣＤＭＡ（登録商標）：Wideband CDMA）およびＣＤＭＡの他の変形態を含む。時分割多元接続（ＴＤＭＡ）システムは、モバイル通信用グローバルシステム（ＧＳＭ（登録商標）：Global System for Mobile Communications）などの無線技術を実装し得る。直交周波数分割多元接続（ＯＦＤＭＡ）システムは、ウルトラモバイルブロードバンド（ＵＭＢ）、発展型ＵＴＲＡ（Ｅ−ＵＴＲＡ：Evolved UTRA）、ＩＥＥＥ８０２．１１（Ｗｉ−Ｆｉ）、ＩＥＥＥ８０２．１６（ＷｉＭＡＸ（登録商標））、ＩＥＥＥ８０２．２０、Ｆｌａｓｈ−ＯＦＤＭなどの無線技術を実装し得る。ＵＴＲＡおよびＥ−ＵＴＲＡは、ユニバーサルモバイルテレコミュニケーションズシステム（ＵＭＴＳ：Universal Mobile Telecommunications system）の一部である。３ＧＰＰ（登録商標）  ＬＴＥおよびＬＴＥアドバンスト（ＬＴＥ−ａ）は、Ｅ−ＵＴＲＡを使用するユニバーサルモバイルテレコミュニケーションズシステム（ＵＭＴＳ）の新しいリリースである。ＵＴＲＡ、Ｅ−ＵＴＲＡ、ユニバーサルモバイルテレコミュニケーションズシステム（ＵＭＴＳ）、ＬＴＥ、ＬＴＥ−ａ、およびモバイル通信用グローバルシステム（ＧＳＭ）は、「第３世代パートナーシッププロジェクト」（３ＧＰＰ：3rd Generation Partnership Project）と称する団体からの文書に記載されている。ＣＤＭＡ２０００およびＵＭＢは、「第３世代パートナーシッププロジェクト２」（３ＧＰＰ２：3rd Generation Partnership Project 2）と称する団体からの文書に記載されている。本明細書で説明される技法は、上記のシステムおよび無線技術、ならびに他のシステムおよび無線技術に使用され得る。ただし、本明細書の説明は、例としてＬＴＥシステムについて説明し、上記の説明の大部分においてＬＴＥ用語が使用されるが、本技法はＬＴＥ適用例以外に適用可能である。
【０１３９】
[0150]本明細書で説明されるそのようなネットワークを含むＬＴＥ／ＬＴＥ−ａネットワークでは、発展型ノードＢ（ｅＮＢ）という用語は、概して、基地局を表すために使用され得る。本明細書で説明される１つまたは複数のワイヤレス通信システムは、異なるタイプの発展型ノードＢ（ｅＮＢ）が様々な地理的領域にカバレージを与える異種ＬＴＥ／ＬＴＥ−ａネットワークを含み得る。たとえば、各ｅＮＢまたは基地局は、マクロセル、スモールセル、または他のタイプのセルに通信カバレージを与え得る。「セル」という用語は、コンテキストに応じて、基地局、基地局に関連するキャリアまたはコンポーネントキャリア、あるいはキャリアまたは基地局のカバレージエリア（たとえば、セクタなど）を表すために使用され得る。
【０１４０】
[0151]基地局は、基地トランシーバ局、無線基地局、アクセスポイント、無線トランシーバ、ノードＢ、ｅノードＢ（ｅＮＢ）、ホームノードＢ、ホームｅノードＢ、または何らかの他の好適な用語を含み得るか、またはそのように当業者によって呼ばれることがある。基地局のための地理的カバレージエリアは、カバレージエリアの一部分のみを構成するセクタに分割され得る。本明細書で説明される１つまたは複数のワイヤレス通信システムは、異なるタイプの基地局（たとえば、マクロセル基地局またはスモールセル基地局）を含み得る。本明細書で説明されるＵＥは、マクロｅＮＢ、スモールセルｅＮＢ、リレー基地局などを含む様々なタイプの基地局およびネットワーク機器と通信することが可能であり得る。異なる技術のための重複する地理的カバレージエリアがあり得る。
【０１４１】
[0152]マクロセルは、概して、比較的大きい地理的エリア（たとえば、半径数キロメートル）をカバーし、ネットワークプロバイダのサービスに加入しているＵＥによる無制限アクセスを可能にし得る。スモールセルは、マクロセルと比較して、同じまたは異なる（たとえば、認可、無認可などの）周波数バンド内でマクロセルとして動作し得る低電力基地局である。スモールセルは、様々な例によれば、ピコセル、フェムトセル、およびマイクロセルを含み得る。ピコセルは、たとえば、小さい地理的エリアをカバーし得、ネットワークプロバイダのサービスに加入しているＵＥによる無制限アクセスを可能にし得る。フェムトセルは、小さい地理的エリア（たとえば、自宅）を同じくカバーし得、フェムトセルとの関連を有するＵＥ（たとえば、限定加入者グループ（ＣＳＧ：closed subscriber group）中のＵＥ、自宅内のユーザのためのＵＥなど）による制限付きアクセスを与え得る。マクロセルのためのｅＮＢはマクロｅＮＢと呼ばれることがある。スモールセルのためのｅＮＢは、スモールセルｅＮＢ、ピコｅＮＢ、フェムトｅＮＢ、またはホームｅＮＢと呼ばれることがある。ｅＮＢは、１つまたは複数の（たとえば、２つ、３つ、４つなどの）セル（たとえば、コンポーネントキャリア）をサポートし得る。ＵＥは、マクロｅＮＢ、スモールセルｅＮＢ、リレー基地局などを含む、様々なタイプの基地局およびネットワーク機器と通信することが可能であり得る。
【０１４２】
[0153]本明細書で説明される１つまたは複数のワイヤレス通信システムは、同期動作または非同期動作をサポートし得る。同期動作の場合、基地局は同様のフレームタイミングを有し得、異なる基地局からの送信は近似的に時間的にアラインされ得る。非同期動作の場合、基地局は異なるフレームタイミングを有し得、異なる基地局からの送信は時間的にアラインされないことがある。本明細書で説明される技法は、同期動作または非同期動作のいずれかのために使用され得る。
【０１４３】
[0154]本明細書で説明されるダウンリンク送信は順方向リンク送信と呼ばれることもあり、アップリンク送信は逆方向リンク送信と呼ばれることもある。たとえば、図１および図２のワイヤレス通信システム１００およびワイヤレス通信サブシステム２００を含む、本明細書で説明される各通信リンクは、１つまたは複数のキャリアを含み得、ここで、各キャリアは、複数のサブキャリアからなる信号（たとえば、異なる周波数の波形信号）であり得る。各被変調信号は、異なるサブキャリア上で送られ得、制御情報（たとえば、基準信号、制御チャネルなど）、オーバーヘッド情報、ユーザデータなどを搬送し得る。本明細書で説明される通信リンク（たとえば、図１の通信リンク１２５）は、周波数分割複信（ＦＤＤ）を使用して（たとえば、対スペクトルリソースを使用して）または時分割複信（ＴＤＤ）動作を使用して（たとえば、不対スペクトルリソースを使用して）双方向通信を送信し得る。周波数分割複信（ＦＤＤ）（たとえば、フレーム構造タイプ１）およびＴＤＤ（たとえば、フレーム構造タイプ２）のためのフレーム構造が定義され得る。
【０１４４】
[0155]添付の図面に関して本明細書に記載される説明は、例示的な構成について説明しており、実装され得るまたは特許請求の範囲内に入るすべての例を表すとは限らない。本明細書で使用される「例示的」という用語は、「例、事例、または例示の働きをすること」を意味し、「好ましい」または「他の例よりも有利な」を意味しない。詳細な説明は、説明される技法の理解を与えるための具体的な詳細を含む。ただし、これらの技法は、これらの具体的な詳細なしに実施され得る。いくつかの事例では、説明される例の概念を不明瞭にすることを回避するために、よく知られている構造およびデバイスがブロック図の形式で示される。
【０１４５】
[0156]本明細書で説明される情報および信号は、多種多様な技術および技法のいずれかを使用して表され得る。たとえば、上記の説明全体にわたって言及され得るデータ、命令、コマンド、情報、信号、ビット、シンボル、およびチップは、電圧、電流、電磁波、磁界または磁性粒子、光場または光学粒子、あるいはそれらの任意の組合せによって表され得る。
【０１４６】
[0157]本明細書の開示に関して説明された様々な例示的なブロックおよびモジュールは、汎用プロセッサ、ＤＳＰ、ＡＳＩＣ、ＦＰＧＡまたは他のプログラマブル論理デバイス、個別ゲートまたはトランジスタ論理、個別ハードウェア構成要素、あるいは本明細書で説明された機能を実行するように設計されたそれらの任意の組合せを用いて実装または実行され得る。汎用プロセッサはマイクロプロセッサであり得るが、代替として、プロセッサは、任意の従来のプロセッサ、コントローラ、マイクロコントローラ、または状態機械であり得る。プロセッサは、コンピューティングデバイスの組合せ（たとえば、デジタル信号プロセッサ（ＤＳＰ）とマイクロプロセッサとの組合せ、複数のマイクロプロセッサ、ＤＳＰコアと連携する１つまたは複数のマイクロプロセッサ、または任意の他のそのような構成）としても実装され得る。
【０１４７】
[0158]本明細書で説明される機能は、ハードウェア、プロセッサによって実行されるソフトウェア、ファームウェア、またはそれらの任意の組合せで実装され得る。プロセッサによって実行されるソフトウェアで実装される場合、機能は、１つまたは複数の命令またはコードとして、コンピュータ可読媒体上に記憶されるか、またはコンピュータ可読媒体を通して送信され得る。他の例および実装形態は、本開示の範囲内および添付の特許請求の範囲内に入る。たとえば、ソフトウェアの性質により、上記で説明された機能は、プロセッサ、ハードウェア、ファームウェア、ハードワイヤリング、またはこれらのうちのいずれかの組合せによって実行されるソフトウェアを使用して実装され得る。機能を実装する特徴はまた、機能の部分が、異なる物理的ロケーションにおいて実装されるように分散されることを含めて、様々な位置に物理的に配置され得る。また、特許請求の範囲を含めて、本明細書で使用される場合、項目の列挙（たとえば、「のうちの少なくとも１つ」あるいは「のうちの１つまたは複数」などの句で終わる項目の列挙）中で使用される「または」は、たとえば、Ａ、Ｂ、またはＣのうちの少なくとも１つの列挙が、ＡまたはＢまたはＣまたはＡＢまたはＡＣまたはＢＣまたはＡＢＣ（すなわち、ＡおよびＢおよびＣ）を意味するような包括的列挙を示す。
【０１４８】
[0159]コンピュータ可読媒体は、ある場所から別の場所へのコンピュータプログラムの転送を可能にする任意の媒体を含む、非一時的コンピュータ記憶媒体と通信媒体の両方を含む。非一時的記憶媒体は、汎用または専用コンピュータによってアクセスされ得る任意の利用可能な媒体であり得る。限定ではなく例として、非一時的コンピュータ可読媒体は、ＲＡＭ、ＲＯＭ、電気的消去可能プログラマブル読取り専用メモリ（ＥＥＰＲＯＭ（登録商標））、コンパクトディスク（ＣＤ）ＲＯＭまたは他の光ディスクストレージ、磁気ディスクストレージまたは他の磁気ストレージデバイス、あるいは命令またはデータ構造の形態の所望のプログラムコード手段を搬送または記憶するために使用され得、汎用もしくは専用コンピュータ、または汎用もしくは専用プロセッサによってアクセスされ得る、任意の他の非一時的媒体を備えることができる。また、いかなる接続もコンピュータ可読媒体と適切に呼ばれる。たとえば、ソフトウェアが、同軸ケーブル、光ファイバーケーブル、ツイストペア、デジタル加入者回線（ＤＳＬ）、または赤外線、無線、およびマイクロ波などのワイヤレス技術を使用して、ウェブサイト、サーバ、または他のリモートソースから送信される場合、同軸ケーブル、光ファイバーケーブル、ツイストペア、デジタル加入者回線（ＤＳＬ）、または赤外線、無線、およびマイクロ波などのワイヤレス技術は、媒体の定義に含まれる。本明細書で使用されるディスク（disk）およびディスク（disc）は、ＣＤ、レーザーディスク（登録商標）（disc）、光ディスク（disc）、デジタル多用途ディスク（disc）（ＤＶＤ）、フロッピー（登録商標）ディスク（disk）およびＢｌｕ−ｒａｙ（登録商標）ディスク（disc）を含み、ここで、ディスク（disk）は、通常、データを磁気的に再生し、ディスク（disc）は、データをレーザーで光学的に再生する。上記の組合せもコンピュータ可読媒体の範囲内に含まれる。
【０１４９】
[0160]本明細書の説明は、当業者が本開示を作成または使用することができるように与えたものである。本開示への様々な変更は当業者には容易に明らかとなり、本明細書で定義された一般原理は、本開示の範囲から逸脱することなく他の変形形態に適用され得る。したがって、本開示は、本明細書で説明される例および設計に限定されるべきでなく、本明細書で開示される原理および新規の特徴に合致する最も広い範囲を与えられるべきである。
以下に、本願出願の当初の特許請求の範囲に記載された発明を付記する。
［Ｃ１］
複数の基地局のうちの基地局において、前記複数の基地局のためのリソース割振りパターンを識別すること、ここにおいて、前記リソース割振りパターンは、共有スペクトル中のキャリアの通信時間リソースを、異なるデータサービスセットに関連する複数のリソースセットにグループ化する、と、
前記異なるデータサービスセットのうちの第１のデータサービスセットに関連する第１のリソースセットを識別することと、
少なくとも１つのユーザ機器と、前記第１のリソースセット上で前記第１のデータサービスセットに関連する第１のデータトラフィックを通信することと
を備える、ワイヤレス通信の方法。
［Ｃ２］
前記通信することは、
前記第１のデータサービスセットに少なくとも部分的に基づいて、リッスンビフォアトーク（ＬＢＴ）パラメータを決定することと、
前記リッスンビフォアトーク（ＬＢＴ）パラメータに少なくとも部分的に基づいて、前記キャリア上でクリアチャネルアセスメント（ＣＣＡ）を実行することと、
成功したＣＣＡが実行されたと決定することに少なくとも部分的に基づいて、前記第１のリソースセット上で前記第１のデータトラフィックを送信することと
を備える、［Ｃ１］に記載の方法。
［Ｃ３］
前記ＬＢＴパラメータは、
競合ウィンドウサイズ、延期期間、競合ウィンドウ適応スキーム、エネルギー検出しきい値、またはそれらの任意の組合せ
のいずれかを備える、［Ｃ２］に記載の方法。
［Ｃ４］
前記通信することは、前記第１のリソースセット上で前記第１のデータトラフィックを受信することを備える、
［Ｃ１］に記載の方法。
［Ｃ５］
前記リソース割振りパターンを前記識別することは、前記複数の基地局に関連するネットワークデバイスから前記リソース割振りパターンを受信することを備える、
［Ｃ１］に記載の方法。
［Ｃ６］
無線アクセスネットワークに前記リソース割振りパターンをブロードキャストすることをさらに備え、前記無線アクセスネットワークは、前記複数の基地局に関連する、
［Ｃ１］に記載の方法。
［Ｃ７］
前記少なくとも１つのユーザ機器に、前記リソース割振りパターンを送信することをさらに備える、
［Ｃ１］に記載の方法。
［Ｃ８］
前記通信時間リソースは、
フレーム、サブフレーム、シンボル期間、または送信時間間隔（ＴＴＩ）のいずれかである、
［Ｃ１］に記載の方法。
［Ｃ９］
前記複数のリソースセットの各々は、複数の連続通信時間リソースを備える、
［Ｃ１］に記載の方法。
［Ｃ１０］
前記通信時間リソースは、前記複数の基地局について同期される、
［Ｃ１］に記載の方法。
［Ｃ１１］
前記異なるデータサービスセットの各々は、
１つまたは複数のサービス品質（ＱｏＳ）識別子、１つまたは複数のサービスタイプ識別子、またはそれらの組合せ
のいずれかに関連する、［Ｃ１］に記載の方法。
［Ｃ１２］
前記１つまたは複数のサービスタイプ識別子のうちの少なくとも１つは、マシンタイプ通信（ＭＴＣ）サービスに関連する、
［Ｃ１１］に記載の方法。
［Ｃ１３］
前記複数の基地局のための第２のリソース割振りパターンを識別することをさらに備え、前記第２のリソース割振りパターンは、前記共有スペクトル中の第２のキャリアの第２の通信時間リソースを、前記異なるデータサービスセットのうちの１つまたは複数に関連する第２の複数のリソースセットにグループ化し、前記第２の複数のリソースセットは、前記複数のリソースセットとは異なって割り振られる、
［Ｃ１］に記載の方法。
［Ｃ１４］
前記第１のデータサービスセットに基づいて前記第１のデータトラフィックを前記通信することのためのあるタイプのＨＡＲＱプロセスをアクティブにすることをさらに備える、
［Ｃ１］に記載の方法。
［Ｃ１５］
複数の基地局のうちの基地局において、前記複数の基地局のためのリソース割振りパターンを識別するための手段、ここにおいて、前記リソース割振りパターンは、共有スペクトル中のキャリアの通信時間リソースを、異なるデータサービスセットに関連する複数のリソースセットにグループ化する、と、
前記異なるデータサービスセットのうちの第１のデータサービスセットに関連する第１のリソースセットを識別するための手段と、
少なくとも１つのユーザ機器と、前記第１のリソースセット上で前記第１のデータサービスセットに関連する第１のデータトラフィックを通信するための手段と
を備える、ワイヤレス通信のための装置。
［Ｃ１６］
前記通信するための手段は、
前記第１のデータサービスセットに少なくとも部分的に基づいて、リッスンビフォアトーク（ＬＢＴ）パラメータを決定するための手段と、
前記リッスンビフォアトーク（ＬＢＴ）パラメータに少なくとも部分的に基づいて、前記キャリア上でクリアチャネルアセスメント（ＣＣＡ）を実行するための手段と、
成功したＣＣＡが実行されたと決定することに少なくとも部分的に基づいて、前記第１のリソースセット上で前記第１のデータトラフィックを送信するための手段と
を備える、［Ｃ１５］に記載の装置。
［Ｃ１７］
前記リソース割振りパターンを前記識別するための手段は、前記複数の基地局に関連するネットワークデバイスから前記リソース割振りパターンを受信する、
［Ｃ１５］に記載の装置。
［Ｃ１８］
無線アクセスネットワークに前記リソース割振りパターンをブロードキャストするための手段をさらに備え、前記無線アクセスネットワークは、前記複数の基地局に関連する、
［Ｃ１５］に記載の装置。
［Ｃ１９］
前記通信時間リソースは、前記複数の基地局について同期される、
［Ｃ１５］に記載の装置。
［Ｃ２０］
複数の基地局のうちの基地局において、前記複数の基地局のためのリソース割振りパターンを識別するための手段、ここにおいて、前記リソース割振りパターンが、共有スペクトル中のキャリアの通信時間リソースを、異なるデータサービスセットに関連する複数のリソースセットにグループ化する、と、
前記異なるデータサービスセットのうちの第１のデータサービスセットに関連する第１のリソースセットを識別するための手段と、
少なくとも１つのユーザ機器と、前記第１のリソースセット上で前記第１のデータサービスセットに関連する第１のデータトラフィックを通信するための手段と
を備える、ワイヤレス通信のための装置。
［Ｃ２１］
前記第１のデータサービスに少なくとも部分的に基づいて、リッスンビフォアトーク（ＬＢＴ）パラメータを決定するための手段と、
前記リッスンビフォアトーク（ＬＢＴ）パラメータに少なくとも部分的に基づいて、前記キャリア上でクリアチャネルアセスメント（ＣＣＡ）を実行するための手段と、
成功したＣＣＡが実行されたと決定することに少なくとも部分的に基づいて、前記第１のリソースセット上で前記第１のデータトラフィックを送信するための手段と
をさらに備える、［Ｃ２０］に記載の装置。
［Ｃ２２］
前記複数の基地局に関連するネットワークデバイスから前記リソース割振りパターンを受信するための手段をさらに備える、
［Ｃ２０］に記載の装置。
［Ｃ２３］
前記ＬＢＴパラメータが、
競合ウィンドウサイズ、延期期間、競合ウィンドウ適応スキーム、エネルギー検出しきい値、またはそれらの任意の組合せ
のいずれかを備える、［Ｃ２１］に記載の装置。
［Ｃ２４］
前記第１のリソースセット上で前記第１のデータトラフィックを受信することを前記装置に行わせるための手段をさらに備える、
［Ｃ２０］に記載の装置。
［Ｃ２５］
無線アクセスネットワークに前記リソース割振りパターンをブロードキャストするための手段をさらに備え、前記無線アクセスネットワークは、前記複数の基地局に関連する、
［Ｃ２０］に記載の装置。
［Ｃ２６］
共有スペクトル中のキャリアのためのリソース割振りパターンを識別すること、ここにおいて、前記リソース割振りパターンが、前記キャリアの通信時間リソースを、異なるデータサービスに関連する複数のリソースセットにグループ化する、と、
前記異なるデータサービスのうちの第１のデータサービスに関連する第１のリソースセットを識別することと、
前記キャリアに関連する基地局と、前記第１のリソースセット上で前記第１のデータサービスに関連する第１のデータトラフィックを通信することと
を備える、ワイヤレス通信の方法。
［Ｃ２７］
前記通信することは、前記第１のデータトラフィックについて前記第１のリソースセット中に前記キャリアに関連するチャネルをモニタすることを備える、
［Ｃ２６］に記載の方法。
［Ｃ２８］
前記複数のリソースセットのうちの１つまたは複数のリソースセット中にスリープ状態に入ることをさらに備える、
［Ｃ２６］に記載の方法。
［Ｃ２９］
前記複数のリソースセットのうちの少なくとも１つは、ＵＥ開始型送信データサービスに関連する、
［Ｃ２６］に記載の方法。
［Ｃ３０］
前記複数のリソースセットのうちのそれぞれのリソースセットのための１つまたは複数のチャネル品質インジケータ（ＣＱＩ）測定値を報告することをさらに備え、前記報告されたチャネル品質インジケータ（ＣＱＩ）測定値は、前記それぞれのリソースセットに関連するチャネル状態情報（ＣＳＩ）リソースに少なくとも部分的に基づく、
［Ｃ２６］に記載の方法。
【図１】
0006766132.tif 000002
【図２】
0006766132.tif 000003
【図３Ａ】
0006766132.tif 000004
【図３Ｂ】
0006766132.tif 000005
【図４】
0006766132.tif 000006
【図５】
0006766132.tif 000007
【図６】
0006766132.tif 000008
【図７】
0006766132.tif 000009
【図８】
0006766132.tif 000010
【図９】
0006766132.tif 000011
【図１０】
0006766132.tif 000012
【図１１】
0006766132.tif 000013
【図１２】
0006766132.tif 000014
【図１３】
0006766132.tif 000015
【図１４】
0006766132.tif 000016
【図１５】
0006766132.tif 000017
【図１６】
0006766132.tif 000018
【図１７】
0006766132.tif 000019
【図１８】
0006766132.tif 000020